(57)【要約】【課題】スキャン回路の個数を減らすことができるプラズマ表示装置及びその駆動方法を提供すること。【解決手段】複数の表示ライン、複数の第１電極、第１電極と表示ラインとが交差する領域に形成される複数のセル、を含むプラズマ表示装置における１フレームを複数サブフィールドに分けて駆動する方法において、表示ラインは第１と第２表示ラインとに分けられ、第１サブフィールドで非発光セルを発光セルにする第１アドレス方式を利用し第１と第２表示ラインの少なくとも一方のセルから発光セルを選択し維持放電させる段階と、第２サブフィールドで、発光セルを非発光セル状態にする第２アドレス方式を利用して、第１表示ラインに形成されたセルから発光セルを選択し維持放電させる段階と、第２表示ラインに形成されたセルから発光セルを選択し維持放電させる段階とを含むことを特徴とするプラズマ表示装置の駆動方法が提供される。【選択図】図４
2007108756.tif 000002
【特許請求の範囲】
【請求項１】
第１方向に形成される複数の表示ラインと、前記第１方向と交差する第２方向に形成される複数の第１電極と、前記複数の第１電極と前記複数の表示ラインが互いに交差する領域に形成される複数のセルと、を含むプラズマ表示装置における１フレームを複数のサブフィールドに分けて駆動する方法において：
前記複数の表示ラインは、複数の第１表示ラインと複数の第２表示ラインとに分けられて、
第１フレームの第１サブフィールドで、非発光セルを発光セル状態に転換する第１アドレス方式を利用して、前記複数の第１表示ラインと前記複数の第２表示ラインのうち、少なくとも一方に形成されたセルの中から、発光セルを選択した後に、維持放電させる段階と；
前記第１フレームの第２サブフィールドで、発光セルを非発光セル状態に転換する第２アドレス方式を利用して、前記複数の第１表示ラインに形成されたセルの中から、発光セルを選択した後に、維持放電させる段階と；
前記第２サブフィールドで、前記第２アドレス方式を利用して、前記複数の第２表示ラインに形成されたセルの中から、発光セルを選択した後に、維持放電させる段階と；
を含むことを特徴とする、プラズマ表示装置の駆動方法。
【請求項２】
第２フレームの第３サブフィールドで、
前記第２アドレス方式を利用して、前記複数の第２表示ラインに形成されたセルの中から、発光セルを選択した後に、維持放電させる段階と；
前記第２アドレス方式を利用して、前記複数の第１表示ラインに形成されたセルの中から、発光セルを選択した後に、維持放電させる段階と；
をさらに含むことを特徴とする、請求項１に記載のプラズマ表示装置の駆動方法。
【請求項３】
前記第１サブフィールドで、前記第１アドレス方式を利用して、発光セルを選択した後、維持放電させる段階は、
前記第１アドレス方式を利用して、前記複数の第１表示ラインに形成されたセルの中から、発光セルを選択した後に、維持放電させる段階と；
前記第１アドレス方式を利用して、前記複数の第２表示ラインに形成されたセルの中から、発光セルを選択した後に、維持放電させる段階と；
を含むことを特徴とする請求項１または２に記載のプラズマ表示装置の駆動方法。
【請求項４】
前記第２フレームに属し、前記第３サブフィールド以前の第４サブフィールドで、
前記第１アドレス方式を利用して、前記複数の第２表示ラインに形成されたセルの中から、発光セルを選択した後に、維持放電させる段階と；
前記第１アドレス方式を利用して、前記複数の第１表示ラインに形成されたセルの中から、発光セルを選択した後に、維持放電させる段階と；
をさらに含むことを特徴とする、請求項２または３に記載のプラズマ表示装置の駆動方法。
【請求項５】
前記第１サブフィールドと前記第４サブフィールドとは、互いに同一加重値を有し、
前記第２サブフィールドと前記第３サブフィールドとは、互いに同一加重値を有することを特徴とする、請求項４に記載のプラズマ表示装置の駆動方法。
【請求項６】
前記第１フレームに属し、前記第１サブフィールド以前の第３サブフィールドで、前記第１アドレス方式を利用して、前記複数の第１表示ラインに形成されたセルの中からだけ、発光セルを選択した後に、維持放電させる段階と；
前記第２フレームの第４サブフィールドで、前記第１アドレス方式を利用して、前記複数の第２表示ラインに形成されたセルの中からだけ、発光セルを選択した後に、維持放電させる段階と；
をさらに含むことを特徴とする、請求項１〜５のいずれかに記載のプラズマ表示装置の駆動方法。
【請求項７】
前記第３サブフィールドと前記第４サブフィールドとは、互いに同一加重値を有することを特徴とする、請求項６に記載のプラズマ表示装置の駆動方法。
【請求項８】
前記第２サブフィールドで、発光セルから非発光セルに転換される前の発光セルは、前記第１サブフィールドで維持放電が発生したセルであることを特徴とする、請求項１〜７のいずれかに記載のプラズマ表示装置の駆動方法。
【請求項９】
前記プラズマ表示装置は、前記第１方向に形成される複数の第２電極及び複数の第３電極をさらに含み、
前記複数の表示ラインは、前記複数の第２電極と前記複数の第３電極との間に各々形成されることを特徴とする、請求項１〜８のいずれかに記載のプラズマ表示装置の駆動方法。
【請求項１０】
前記複数の第１表示ラインは、前記複数の第３電極のうち、奇数配置番号の複数の第３電極と前記複数の第２電極との間に各々形成される複数の表示ラインを含み、
前記複数の第２表示ラインは、前記複数の第３電極のうち、偶数配置番号の複数の第３電極と前記複数の第２電極との間に各々形成される複数の表示ラインを含むことを特徴とする、請求項９に記載のプラズマ表示装置の駆動方法。
【請求項１１】
前記プラズマ表示装置は、前記第１方向に形成される複数の第２電極及び複数の第３電極をさらに含み、
前記複数の表示ラインの各表示ラインは、前記複数の第２電極の各第２電極と、前記複数の第３電極のうち各第２電極の片側に隣接した第３電極との間に形成され、
前記第１アドレス方式及び前記第２アドレス方式を適用する時、前記複数の第２電極の中から、２つずつの第２電極に同時に走査パルスを印加することを特徴とする、請求項１〜８のいずれかに記載のプラズマ表示装置の駆動方法。
【請求項１２】
複数の第１電極及び複数の第２電極と、前記複数の第１及び第２電極と交差する方向に形成される複数の第３電極と、前記複数の第１電極と前記複数の第２電極との間に各々形成される複数の表示ラインと、前記複数の表示ラインと前記複数の第３電極とが交差する領域に形成される複数のセルと、を含むプラズマ表示装置における、１フレームを複数のサブフィールドに分けて駆動する方法において：
前記複数のサブフィールドのうち、第１サブフィールドの第１アドレス期間で、発光セルを非発光セル状態に転換するアドレス方式を利用して、前記複数の第２電極のうち第１グループの第２電極と、前記複数の第１電極とによって形成される複数の第１表示ラインから発光セルを選択する段階と；
前記第１アドレス期間後に、発光セル状態のまま残っているセルを維持放電させる段階と；
前記第１サブフィールドの第２アドレス期間で、前記アドレス方式を利用して、前記複数の第２電極のうち第２グループの第２電極と、前記複数の第１電極とによって形成される複数の第２表示ラインから発光セルを選択する段階と；
前記第２アドレス期間後に、発光セル状態のまま残っているセルを維持放電させる段階と；
を含むことを特徴とする、プラズマ表示装置の駆動方法。
【請求項１３】
前記第１アドレス期間で、前記第１グループの第２電極に第１電圧を印加し、前記第２グループの第２電極に前記第１電圧より低い第２電圧を印加した状態で、前記複数の第１表示ラインで非発光セルに選択するセルの前記第１電極及び前記第３電極に各々第１走査パルス及び第１アドレスパルスを印加して、
前記第２アドレス期間で、前記第１グループの第２電極に第３電圧を印加し、前記第２グループの第２電極に前記第３電圧より高い第４電圧を印加した状態で、前記複数の第２表示ラインで非発光セルに選択するセルの前記第１電極及び前記第３電極に各々第２走査パルス及び第２アドレスパルスを印加することを特徴とする、請求項１２に記載のプラズマ表示装置の駆動方法。
【請求項１４】
前記第１電圧と前記第４電圧とは、互いに同一電圧であり、
前記第２電圧と前記第３電圧とは、互いに同一電圧であることを特徴とする、請求項１３に記載のプラズマ表示装置の駆動方法。
【請求項１５】
前記第１走査パルスと前記第２走査パルスとは、同一走査電圧を有し、
前記第１アドレスパルスと前記第２アドレスパルスとは、同一アドレス電圧を有することを特徴とする、請求項１３に記載のプラズマ表示装置の駆動方法。
【請求項１６】
前記第１サブフィールドは、第１フレームに属し、
第２フレームに属する第２サブフィールドの第３アドレス期間で、前記アドレス方式を利用して、前記複数の第２表示ラインから発光セルを選択する段階と；
前記第３アドレス期間後に、発光セル状態のまま残っているセルを維持放電させる段階と；
前記第２サブフィールドの第４アドレス期間で、前記アドレス方式を利用して、前記複数の第１表示ラインから発光セルを選択する段階と；
前記第４アドレス期間後に、発光セル状態のまま残っているセルを維持放電させる段階と；
をさらに含むことを特徴とする、請求項１２〜１５のいずれかに記載のプラズマ表示装置の駆動方法。
【請求項１７】
前記複数の第２表示ラインに形成されたセルのうち、前記第２アドレス期間後に、発光セル状態のまま残っているセルのみを維持放電させる段階をさらに含むことを特徴とする、請求項１２に記載のプラズマ表示装置の駆動方法。
【請求項１８】
前記第１グループの第２電極に第５電圧を印加した状態で、前記複数の第１電極と前記第２グループの第２電極とに、前記第５電圧より高い第６電圧と前記第５電圧より低い第７電圧を交互に印加し、前記複数の第２表示ラインに形成されたセルのうち、前記第２アドレス期間後に、発光セル状態のまま残っているセルのみを維持放電させることを特徴とする、請求項１７に記載のプラズマ表示装置の駆動方法。
【請求項１９】
前記第１グループの第２電極と前記第２グループの第２電極とのうち、
一つは、奇数配置番号の第２電極を含み、
残り一つは、偶数配置番号の第２電極を含むことを特徴とする、請求項１２〜１８のいずれかに記載のプラズマ表示装置の駆動方法。
【請求項２０】
前記第１アドレス期間及び前記第２アドレス期間で非発光セルに設定される前の発光セルは、前記第１サブフィールド以前のサブフィールドで維持放電が発生したセルであることを特徴とする、請求項１２〜１９のいずれかに記載のプラズマ表示装置の駆動方法。
【請求項２１】
複数の第１電極及び複数の第２電極と、前記複数の第１及び第２電極と交差する方向に形成される複数の第３電極と、前記複数の第１電極と前記複数の第２電極との間に各々形成される複数の表示ラインと、前記複数の表示ラインと前記複数の第３電極とが交差する領域に形成される複数のセルと、を含むプラズマ表示装置における、１フレームを複数のサブフィールドに分けて駆動する方法において：
前記複数のサブフィールドのうち、第１サブフィールドの第１リセット期間で、前記複数の第２電極のうち第１グループの第２電極と、前記複数の第１電極とによって形成される複数の第１表示ラインを初期化する段階と；
前記第１サブフィールドの第１アドレス期間で、非発光セルを発光セル状態に転換するアドレス方式を利用して、前記第１表示ラインに形成されたセルの中から、発光セルを選択する段階と；
前記第１サブフィールドの第１維持期間で、前記第１アドレス期間で発光セル状態に転換されたセルを維持放電させる段階と；
前記第１サブフィールドの第２リセット期間で、前記複数の第２電極のうち第２グループの第２電極と、前記複数の第１電極とによって形成される複数の第２表示ラインを初期化する段階と；
前記第１サブフィールドの第２アドレス期間で、前記アドレス方式を利用して、前記第２表示ラインに形成されたセルの中から、発光セルを選択する段階と；
前記第１サブフィールドの第２維持期間で、前記第２アドレス期間で、発光セル状態に転換されたセルを維持放電させる段階と；
を含むことを特徴とするプラズマ表示装置の駆動方法。
【請求項２２】
前記第１アドレス期間で、前記第１グループの第２電極に第１電圧を印加し、前記第２グループの第２電極に前記第１電圧より低い第２電圧を印加した状態で、前記複数の第１表示ラインに形成されたセルの中から、発光セルとして選択するセルの第１電極及び第３電極に、各々第１走査パルス及び第１アドレスパルスを印加し、
前記第２アドレス期間で、前記第１グループの第２電極に第３電圧を印加し、前記第２グループの第２電極に前記第３電圧より高い第４電圧を印加した状態で、前記複数の第２表示ラインに形成されたセルの中から、発光セルとして選択するセルの第１電極及び第３電極に、各々第２走査パルス及び第２アドレスパルスを印加することを特徴とする、請求項２１に記載のプラズマ表示装置の駆動方法。
【請求項２３】
前記第２リセット期間と前記第２アドレス期間との間の第１期間で、前記第１アドレス期間で発光セル状態に転換されたセルを維持放電させる段階をさらに含むことを特徴とする、請求項２１または２２に記載のプラズマ表示装置の駆動方法。
【請求項２４】
前記第１期間で、前記複数の第１電極に第１電圧を印加し、前記第１グループの第２電極及び前記第２グループの第２電極に前記第１電圧より高い第２電圧を印加し、
前記第２アドレス期間で、前記第１グループの第２電極及び前記第２グループの第２電極に前記第２電圧を印加した状態で、前記複数の第２表示ラインの中から発光セルとして選択するセルの第１電極及び第３電極に、各々走査パルス及びアドレスパルスを印加することを特徴とする、請求項２３に記載のプラズマ表示装置の駆動方法。
【請求項２５】
前記第１リセット期間では、前記第１表示ラインに形成されたセルのうち、前記第１サブフィールドの以前サブフィールドで維持放電したセルのみをリセット放電させて、前記複数の第１表示ラインを初期化し、
前記第２リセット期間では、前記第２表示ラインに形成した全てのセルをリセット放電させて、前記複数の第２表示ラインを初期化することを特徴とする、請求項２１〜２４のいずれかに記載のプラズマ表示装置の駆動方法。
【請求項２６】
前記第１リセット期間で、前記第１グループの第２電極に第１電圧を印加し、前記第２グループの第２電極に前記第１電圧より低い第２電圧を印加した状態で、前記複数の第１電極の電圧を漸進的に下降させ、
前記第２リセット期間で、前記第１グループの第２電極に第３電圧を印加し、前記第２グループの第２電極に前記第３電圧より低い第４電圧を印加した状態で、前記複数の第１電極の電圧を漸進的に上昇させ、
前記第１グループの第２電極に第５電圧を印加し、前記第２グループの第２電極に前記第５電圧より高い第６電圧を印加した状態で、前記複数の第１電極の電圧を漸進的に下降させることを特徴とする請求項２５に記載のプラズマ表示装置の駆動方法。
【請求項２７】
前記第３電圧と前記第６電圧は互いに同じ電圧レベルであり、前記第４電圧と前記第５電圧は互いに同じ電圧レベルであることを特徴とする請求項２６に記載のプラズマ表示装置の駆動方法。
【請求項２８】
前記第２維持期間では、前記第１維持期間で維持放電したセルも維持放電することを特徴とする、請求項２１〜２７のいずれかに記載のプラズマ表示装置の駆動方法。
【請求項２９】
前記第１サブフィールドは第１フレームに属し、
第２フレームに属する第２サブフィールドの第３リセット期間で、前記複数の第２表示ラインを初期化する段階と；
前記第２サブフィールドの第３アドレス期間で、前記アドレス方式を利用して、前記第２表示ラインに形成されたセルの中から、発光セルを選択する段階と；
前記第２サブフィールドの第３維持期間で、前記第３アドレス期間で発光セル状態に転換されたセルを維持放電させる段階と；
前記第２サブフィールドの第４リセット期間で、前記複数の第１表示ラインを初期化する段階と；
前記第２サブフィールドの第４アドレス期間で、前記アドレス方式を利用して、前記第１表示ラインに形成されたセルの中から、点灯されるセルを選択する段階と；
前記第２サブフィールドの第４維持期間で、前記第４アドレス期間で発光セル状態に転換されたセルを維持放電させる段階と；
をさらに含むことを特徴とする、請求項２１〜２８のいずれかに記載のプラズマ表示装置の駆動方法。
【請求項３０】
前記第１フレームに属し、前記第１サブフィールド以前の第３サブフィールドで、前記アドレス方式を利用して、前記複数の第１表示ラインに形成されたセルの中からだけ、発光セルを選択した後、維持放電させる段階と；
前記第２フレームに属し、前記第２サブフィールド以前の第４サブフィールドで、前記アドレス方式を利用して、前記複数の第２表示ラインに形成されたセルの中からだけ、発光セルを選択した後、維持放電させる段階と；
をさらに含むことを特徴とする、請求項２９に記載のプラズマ表示装置の駆動方法。
【請求項３１】
前記第１サブフィールドに連続する第２サブフィールドで、
発光セルを非発光セル状態に転換するアドレス方式を利用して、前記複数の第１表示ラインに形成されたセルの中から、発光セルを選択した後、維持放電させる段階と；
発光セルを非発光セル状態に転換するアドレス方式を利用して、前記複数の第２表示ラインに形成されたセルの中から、発光セルを選択した後、維持放電させる段階と；
をさらに含むことを特徴とする、請求項２１〜３０のいずれかに記載のプラズマ表示装置の駆動方法。
【請求項３２】
前記第１グループの第２電極と前記第２グループの第２電極とのうち、
一つは、奇数配置番号の第２電極を含み、
残り一つは、偶数配置番号の第２電極を含むことを特徴とする、請求項２１〜３１のいずれかに記載のプラズマ表示装置の駆動方法。
【請求項３３】
複数の第１電極及び複数の第２電極と、前記複数の第１及び第２電極と交差する方向に形成される複数の第３電極と、前記複数の第１電極と前記複数の第２電極との間に各々形成される複数の表示ラインと、前記複数の表示ラインと前記複数の第３電極とが交差する領域に形成される複数のセルと、を含むプラズマ表示装置における、１フレームを複数のサブフィールドに分けて駆動する方法において：
第１フレームの第１サブフィールドのリセット期間で、前記複数の第２電極のうち第１グループの第２電極と、前記複数の第１電極とにより形成される複数の第１表示ラインのみを初期化する段階と；
前記第１サブフィールドのアドレス期間で、複数の第１表示ラインに形成されたセルの中からだけ、発光セルを選択する段階と；
前記第１サブフィールドのアドレス期間で、発光セルとして選択されたセルを維持放電させる段階と；
第２フレームに属する第２サブフィールドのリセット期間で、前記複数の第２電極のうち第２グループの第２電極と、前記複数の第１電極とによって形成される複数の第２表示ラインのみを初期化する段階と；
前記第２サブフィールドのアドレス期間で、前記複数の第２表示ラインに形成されたセルの中からだけ、発光セルを選択する段階と；
前記第２サブフィールドのアドレス期間で、発光セルとして選択されたセルを維持放電させる段階と；
を含むことを特徴とする、プラズマ表示装置の駆動方法。
【請求項３４】
前記複数の第１表示ラインに形成されたセルの中からだけ発光セルを選択する段階は、
前記第１グループの第２電極に第１電圧を印加し、前記第２グループの第２電極に前記第１電圧より低い第２電圧を印加した状態で、前記複数の第１表示ラインに形成されたセルのうち発光セルの第１電極及び第３電極に、各々第１走査パルス及び第１アドレスパルスを印加する段階を含み、
前記複数の第２表示ラインに形成されたセルの中からだけ発光セルを選択する段階は、
前記第１グループの第２電極に第３電圧を印加し、前記第２グループの第２電極に前記第３電圧より高い第４電圧を印加した状態で、前記複数の第２表示ラインに形成されたセルのうち発光セルの第１電極及び第３電極に、各々第２走査パルス及び第２アドレスパルスを印加する段階を含むことを特徴とする、請求項３３に記載のプラズマ表示装置の駆動方法。
【請求項３５】
前記複数の第１表示ラインのみを初期化する段階は、
前記第１グループの第２電極に第５電圧を印加し、前記第２グループの第２電極に前記第５電圧より高い第６電圧を印加した状態で、前記複数の第１電極の電圧を漸進的に上昇させる段階と；
前記第１グループの第２電極に第７電圧を印加し、前記第２グループの第２電極に前記第７電圧より低い第８電圧を印加した状態で、前記複数の第１電極の電圧を漸進的に下降させる段階と；
を含み、
前記複数の第２表示ラインのみを初期化する段階は、
前記第１グループの第２電極に第９電圧を印加し、前記第２グループの第２電極に前記第９電圧より低い第１０電圧を印加した状態で、前記複数の第１電極の電圧を漸進的に上昇させる段階と；
前記第１グループの第２電極に第１１電圧を印加し、前記第２グループの第２電極に前記第１１電圧より高い第１２電圧を印加した状態で、前記複数の第１電極の電圧を漸進的に下降させる段階と；
を含むことを特徴とする、請求項３３または３４に記載のプラズマ表示装置の駆動方法。
【請求項３６】
前記第１サブフィールドの前記リセット期間では、前記第１表示ラインに形成されたセルのうち、前記第１サブフィールドの以前のサブフィールドで維持放電したセルのみをリセット放電させて、前記複数の第１表示ラインのみを初期化し、
前記第２サブフィールドの前記リセット期間では、前記第２表示ラインに形成されたセルのうち、前記第２サブフィールドの以前のサブフィールドで維持放電したセルのみをリセット放電させて、前記複数の第２表示ラインのみを初期化することを特徴とする、請求項３３または３４に記載のプラズマ表示装置の駆動方法。
【請求項３７】
前記第１グループの第２電極と前記第２グループの第２電極とのうち、
一つは、奇数配置番号の第２電極を含み、
残り一つは、偶数配置番号の第２電極を含むことを特徴とする、請求項３３〜３６のいずれかに記載のプラズマ表示装置の駆動方法。
【請求項３８】
複数の第１電極及び複数の第２電極と、前記複数の第１及び第２電極と交差する方向に形成される複数の第３電極と、前記複数の第１電極の各第１電極と前記複数の第２電極のうち各第１電極に片側に隣接した第２電極との間に各々形成される複数の表示ラインと、前記複数の表示ラインと前記複数の第３電極とが交差する領域に形成されるセルと、を含むプラズマ表示装置における、１フレームを複数のサブフィールドに分けて駆動する方法において：
前記複数のサブフィールドのうち、第１サブフィールドの第１アドレス期間で、前記複数の第２電極のうち第１グループの第２電極に第１電圧を印加し、前記複数の第２電極ののうち第２グループの第２電極に前記第１電圧より低い第２電圧を印加した状態で、前記複数の第１電極の中から２つずつの第１電極に同時に走査パルスを印加し、前記複数の表示ラインのうち前記第１グループの第２電極と隣接した複数の第１表示ラインに形成されたセルの中から、発光セルとしてより非発光セルとして設定するセルを選択する段階と；
前記第１アドレス期間後に、発光セル状態のまま残っているセルを維持放電させる段階と；
前記第１サブフィールドの第２アドレス期間で、前記第１グループの第２電極に第３電圧を印加し、前記第２グループの第２電極に前記第３電圧より高い第４電圧を印加した状態で、前記複数の第１電極の中から２つずつの第１電極に同時に走査パルスを印加し、前記複数の表示ラインのうち前記第２グループの第２電極と隣接した複数の第２表示ラインに形成されたセルの中から、発光セルとしてより非発光セルとして設定するセルを選択する段階と；
前記第２アドレス期間後に、発光セル状態のまま残っているセルを維持放電させる段階と；
を含むことを特徴とする、プラズマ表示装置の駆動方法。
【請求項３９】
前記第１サブフィールドは、第１フレームに属し、
第２フレームに属する第２サブフィールドの第３アドレス期間で、前記第１グループの第２電極に第５電圧を印加し、前記複数の第２電極のうち第２グループの第２電極に前記第５電圧より高い第６電圧を印加した状態で、前記複数の第１電極の中から２つずつの第１電極に同時に走査パルスを印加し、前記複数の第２表示ラインに形成されたセルの中から、発光セルとしてより非発光セルとして設定するセルを選択する段階と；
前記第３アドレス期間後に、発光セル状態のまま残っているセルを維持放電させる段階と；
前記第２サブフィールドの第４アドレス期間で、前記第１グループの第２電極に第７電圧を印加し、前記第２グループの第２電極に前記第７電圧より低い第８電圧を印加した状態で、前記複数の第１電極の中から２つずつの第１電極に同時に走査パルスを印加し、前記複数の第１表示ラインに形成されたセルの中から、発光セルとしてより非発光セルとして設定するセルを選択する段階と；
前記第２アドレス期間後に、発光セル状態のまま残っているセルを維持放電させる段階と；
をさらに含むことを特徴とする、請求項３８に記載のプラズマ表示装置の駆動方法。
【請求項４０】
前記第１電圧、前記第４電圧、前記第６電圧及び前記第７電圧は、互いに同一電圧であり、
前記第２電圧、前記第３電圧、前記第５電圧及び前記第８電圧は、互いに同一電圧であることを特徴とする、請求項３９に記載のプラズマ表示装置の駆動方法。
【請求項４１】
前記第１グループの第２電極と前記第２グループの第２電極とのうち、
一つは、奇数配置番号の第２電極を含み、
残り一つは、偶数配置番号の第２電極を含むことを特徴とする、請求項３８〜４０のいずれかに記載のプラズマ表示装置の駆動方法。
【請求項４２】
複数の第１電極及び複数の第２電極と、前記複数の第１及び第２電極と交差する方向に形成される複数の第３電極と、前記複数の第１電極の各第１電極と前記複数の第２電極のうち各第１電極に片側に隣接した第２電極との間に各々形成される複数の表示ラインと、前記複数の表示ラインと前記複数の第３電極とが交差する領域に形成されるセルと、を含むプラズマ表示装置で、１フレームを複数のサブフィールドに分けて駆動する方法において：
前記複数のサブフィールドのうち、第１サブフィールドの第１リセット期間で、前記複数の第２電極のうち第１グループの第２電極と隣接した複数の第１表示ラインに形成されるセルを初期化する段階と；
前記第１サブフィールドの第１アドレス期間で、前記第１グループの第２電極に第１電圧を印加し、前記複数の第２電極のうち第２グループの第２電極に前記第１電圧より低い第２電圧を印加した状態で、前記複数の第１電極の中から２つずつの電極に同時に走査パルスを印加して、前記複数の第１表示ラインに形成されたセルの中から、非発光セルとしてより発光セルとして設定するセルを選択する段階と；
前記第１サブフィールドの第１維持期間で、前記第１アドレス期間で発光セルに設定されたセルを維持放電させる段階と；
前記第１サブフィールドの第２リセット期間で、前記複数の表示ラインのうち前記第２グループの第２電極と隣接した複数の第２表示ラインに形成されたセルを初期化する段階と；
前記第１サブフィールドの第２アドレス期間で、前記第１グループの第２電極に第３電圧を印加し、前記第２グループの第２電極に前記第３電圧より高い第４電圧を印加した状態で、前記複数の第１電極の中から２つずつの電極に同時に走査パルスを印加して、前記複数の第２表示ラインに形成されたセルの中から、非発光セルとしてより発光セルとして設定するセルを選択する段階と；
前記第１サブフィールドの第２維持期間で、前記第２アドレス期間で発光セルとして設定されたセルを維持放電させる段階と；
を含むことを特徴とする、プラズマ表示装置の駆動方法。
【請求項４３】
前記第１リセット期間では、前記複数の第１表示ラインに形成されたセルのうち、前記第１サブフィールドの以前のサブフィールドで維持放電したセルのみをリセット放電させて、前記複数の第１表示ラインに形成されたセルを初期化して、
前記第２リセット期間では、前記複数の第２表示ラインに形成された全てのセルをリセット放電させて、前記複数の第２表示ラインに形成されたセルを初期化することを特徴とする、請求項４２に記載のプラズマ表示装置の駆動方法。
【請求項４４】
前記第２維持期間では、前記第１維持期間で維持放電したセルも維持放電することを特徴とする、請求項４２または４３に記載のプラズマ表示装置の駆動方法。
【請求項４５】
前記第１サブフィールドは、第１フレームに属し、
第２フレームに属する第２サブフィールドの第３リセット期間で、前記複数の第２表示ラインに形成されたセルを初期化する段階と；
前記第２サブフィールドの第３アドレス期間で、前記第１グループの第２電極に第５電圧を印加し、前記第２グループの第２電極に前記第５電圧より高い第６電圧を印加した状態で、前記複数の第１電極の中から２つずつの電極に同時に走査パルスを印加して、前記複数の第２表示ラインに形成されたセルの中から、非発光セルとしてより発光セルとして設定するセルを選択する段階と；
前記第２サブフィールドの第３維持期間で、前記第３アドレス期間で発光セルとして設定されたセルを維持放電させる段階と；
前記第２サブフィールドの第４リセット期間で、前記複数の第１表示ラインに形成されたセルを初期化する段階と；
前記第２サブフィールドの第４アドレス期間で、前記第１グループの第２電極に第７電圧を印加し、前記第２グループの第２電極に前記第７電圧より低い第８電圧を印加した状態で、前記複数の第１電極の中から２つずつの電極に同時に走査パルスを印加して、前記複数の第１表示ラインで形成されたセルの中から、非発光セルとしてより発光セルとして設定するセルを選択する段階と；
前記第２サブフィールドの第４維持期間で、前記第４アドレス期間で発光セルに設定されたセルを維持放電させる段階と；
を含むことを特徴とする、請求項４２〜４４のいずれかに記載のプラズマ表示装置の駆動方法。
【請求項４６】
前記第１グループの第２電極と前記第２グループの第２電極とのうち、
一つは、奇数配置番号の第２電極を含み、
残り一つは、偶数配置番号の第２電極を含むことを特徴とする、請求項４２〜４５のいずれかに記載のプラズマ表示装置の駆動方法。
【請求項４７】
第１方向に形成される複数の表示ラインと、前記第１方向と交差する第２方向に形成される複数の第１電極と、前記複数の第１電極と前記複数の表示ラインとが互いに交差する領域に形成される複数のセルと、を含み、前記複数の表示ラインは、複数の第１表示ラインと複数の第２表示ラインとに分けられるプラズマ表示パネルと；
第１フレームの第１サブフィールドで、非発光セルを発光セル状態に転換させる第１アドレス方式を利用して、前記複数の第１表示ラインと前記複数の第２表示ラインのうち少なくとも一つに形成されたセルの中から、発光セルを選択した後、維持放電させ、前記第１フレームの第２サブフィールドで、発光セルを非発光セル状態に転換させる第２アドレス方式を利用して、前記複数の第１表示ラインに形成されたセルの中から、発光セルを選択した後、維持放電させ、前記第２サブフィールドで、前記第２アドレス方式を利用して、前記複数の第２表示ラインに形成されたセルの中から、発光セルを選択した後、維持放電させる駆動部と；
を含むことを特徴とする、プラズマ表示装置。
【請求項４８】
前記プラズマ表示パネルは、前記第１方向に形成される複数の第２電極及び複数の第３電極をさらに含み、
前記複数の表示ラインは、前記複数の第２電極と前記複数の第３電極との間に各々形成され、
前記複数の第１表示ラインは、前記複数の第３電極のうち第１グループの第３電極と、前記複数の第２電極との間に各々形成され、
前記複数の第２表示ラインは、前記複数の第３電極のうち第２グループの第３電極と、前記複数の第２電極との間に各々形成されることを特徴とする、請求項４７に記載のプラズマ表示装置。
【請求項４９】
前記プラズマ表示パネルは、前記第１方向に形成される複数の第２電極及び複数の第３電極をさらに含み、
前記複数の表示ラインの各表示ラインは、前記複数の第２電極の各第２電極と、前記複数の第３電極のうち各第２電極の片側に隣接した第３電極との間に形成され、
前記複数の第１表示ラインは、前記複数の第３電極のうち第１グループの第３電極と、前記複数の第２電極との間に形成され、
前記複数の第２表示ラインは、前記複数の第３電極のうち第２グループの第３電極と、前記複数の第２電極との間に形成され、
前記駆動部は、前記第１アドレス方式及び前記第２アドレス方式を適用する時、前記複数の第２電極の中から２つずつの第２電極に同時に走査パルスを印加することを特徴とする、請求項４７に記載のプラズマ表示装置。
【請求項５０】
前記駆動部は、
第２フレームの第３サブフィールドで、
前記第２アドレス方式を利用して前記複数の第２表示ラインに形成されたセルの中から、発光セルを選択した後、維持放電させ、
前記第２アドレス方式を利用して前記複数の第１表示ラインに形成されたセルの中から、発光セルを選択した後、維持放電させることを特徴とする、請求項４７〜４９のいずれかに記載のプラズマ表示装置。
【請求項５１】
前記駆動部は、
前記第２フレームに属し、前記第３サブフィールド以前の第４サブフィールドで、
前記第１アドレス方式を利用して、前記複数の第２表示ラインに形成されたセルの中から、発光セルを選択した後、維持放電させ、
前記第１アドレス方式を利用して、前記複数の第１表示ラインに形成されたセルの中から、発光セルを選択した後、維持放電させることを特徴とする、請求項５０に記載のプラズマ表示装置。
【請求項５２】
前記駆動部は、
前記第１サブフィールドで、前記第１アドレス方式を利用して、前記複数の第１表示ラインに形成されたセルの中から、発光セルを選択した後、維持放電させ、
前記第１アドレス方式を利用して、前記複数の第２表示ラインに形成されたセルの中から、発光セルを選択した後、維持放電させることを特徴とする、請求項５１に記載のプラズマ表示装置。
【請求項５３】
前記駆動部は、
前記第１フレームに属し、前記第１サブフィールド以前の第３サブフィールドで、前記第１アドレス方式を利用して、前記複数の第１表示ラインに形成されたセルの中からだけ、発光セルを選択した後、維持放電させ、
第２フレームの第４サブフィールドで、前記第１アドレス方式を利用して、前記複数の第２表示ラインに形成されたセルの中からだけ、発光セルを選択した後、維持放電させることを特徴とする、請求項４７〜５２のいずれかに記載のプラズマ表示装置。
【請求項５４】
前記駆動部は、
前記第１グループの第２電極に第１電圧を印加し、前記第２グループの第２電極に前記第１電圧より低い第２電圧を印加した状態で、前記複数の第１電極の中より選択する第１電極に走査パルスを印加して、前記第１表示ラインに形成されたセルの中から、発光セルを選択し、
前記第１グループの第２電極に第３電圧を印加し、前記第２グループの第２電極に前記第３電圧より高い第４電圧を印加した状態で、前記複数の第１電極の中より選択する第１電極に走査パルスを印加して、前記第２表示ラインに形成されたセルの中から、発光セルを選択することを特徴とする、請求項４８に記載のプラズマ表示装置。
【請求項５５】
前記駆動部は、
前記第２サブフィールドで、
前記複数の第１表示ラインに形成されたセルの中から、発光セルを選択する時に、前記第１グループの第２電極に第１電圧を印加し、前記第２グループの第２電極に前記第１電圧より低い第２電圧を印加して、
前記複数の第２表示ラインに形成されたセルの中から、発光セルを選択する時に、前記第１グループの第２電極に第３電圧を印加し、前記第２グループの第２電極に前記第３電圧より高い第４電圧を印加することを特徴とする、請求項４９に記載のプラズマ表示装置。
【請求項５６】
前記第２サブフィールドで、発光セルから非発光セルに転換される前の発光セルは、前記第１サブフィールドの維持放電が発生したセルであることを特徴とする、請求項４７〜５５のいずれかに記載のプラズマ表示装置。
【請求項５７】
前記第１グループの第２電極と前記第２グループの第２電極とのうち、
一つは、奇数配置番号の第２電極を含み、
残り一つは、偶数配置番号の第２電極を含むことを特徴とする、請求項４８〜５６のいずれかに記載のプラズマ表示装置。
【発明の詳細な説明】
【技術分野】
【０００１】
本発明は、プラズマ表示装置及びその駆動方法に関する。
【背景技術】
【０００２】
プラズマ表示装置は、気体放電によって生成するプラズマを利用して、文字または映像を表示するプラズマ表示パネルを利用した表示装置である。
【０００３】
このようなプラズマ表示装置の駆動方法は、１フレームを、それぞれ加重値を有する複数のサブフィールドに分割する。各サブフィールドのアドレス期間で、アドレス放電を通して、複数の放電セルの中から点灯させる放電セルを選択し、維持期間で実際に画像を表示するために点灯させるセルに対して維持放電を行う。
【０００４】
この時、放電用の電極である表示ラインとアドレス電極との交差部に形成される放電セルの中から、点灯させる放電セルをアドレス期間で選択するためには、各表示ラインに走査パルスを印加する。各表示ラインに走査パルスを印加するために、各表示ラインを選択するためのスキャン回路が必要である。また、このようなスキャン回路は、各走査電極に対応して連結される。よって、このスキャン回路は、走査電極の本数に対応した個数必要になる。
【０００５】
【特許文献１】米国特許第５７４５０８６号明細書
【発明の開示】
【発明が解決しようとする課題】
【０００６】
そこで、本発明は、上記問題に鑑みてなされたものであり、本発明の目的とするところは、スキャン回路の個数を減らすことが可能な、新規かつ改良されたプラズマ表示装置及びその駆動方法を提供することにある。
【課題を解決するための手段】
【０００７】
上記課題を解決するために、本発明のある観点によれば、第１方向に形成される複数の表示ラインと、第１方向と交差する第２方向に形成される複数の第１電極と、複数の第１電極と複数の表示ラインが互いに交差する領域に形成される複数のセルと、を含むプラズマ表示装置における１フレームを複数のサブフィールドに分けて駆動する方法において、複数の表示ラインは、複数の第１表示ラインと複数の第２表示ラインとに分けられて、第１フレームの第１サブフィールドで、非発光セルを発光セル状態に転換する第１アドレス方式を利用して、複数の第１表示ラインと複数の第２表示ラインのうち、少なくとも一方に形成されたセルの中から、発光セルを選択した後に、維持放電させる段階と、第１フレームの第２サブフィールドで、発光セルを非発光セル状態に転換する第２アドレス方式を利用して、複数の第１表示ラインに形成されたセルの中から、発光セルを選択した後に、維持放電させる段階と、第２サブフィールドで、第２アドレス方式を利用して、複数の第２表示ラインに形成されたセルの中から、発光セルを選択した後に、維持放電させる段階と、を含むことを特徴とする、プラズマ表示装置の駆動方法が提供される。
【０００８】
かかる構成によれば、複数の表示ラインを第１表示ラインと第２表示ラインとにわけて、駆動する。すなわち、第１サブフィールドでは、第１又は第２表示ラインのうち少なくとも一方に形成されたセルのうち、発光させるべきセルを第１アドレス方式によって、選択し、発光させる。また、第２サブフィールドでは、第１表示ラインに形成されたセルのうち、発光させるべきセルを第２アドレス方式により、選択し、発光させる。また、当該発光の後、第２表示ラインに形成されたセルのうち、発光させるべきセルを第２アドレス方式により、選択し、発光させる。よって、第１表示ラインと第２表示ラインとにわけて、駆動することができる。また、第１表示ラインと第２表示ランとをわけて駆動することにより、各表示ラインは、維持電極と走査電極とを共有することができる。よって、走査電極及び維持電極の総個数を従来の構造より減らすことができ、各走査電極を駆動するスキャン回路も従来より減らすことができる。また、維持電極と走査電極とが、間にある１つの表示ラインを共有する場合には、隣接した走査電極を２つずつ、同時に走査パルスを印加して駆動することができるので、スキャン回路の個数を減らすことができる。
【０００９】
また、第２フレームの第３サブフィールドで、第２アドレス方式を利用して、複数の第２表示ラインに形成されたセルの中から、発光セルを選択した後に、維持放電させる段階と、第２アドレス方式を利用して、複数の第１表示ラインに形成されたセルの中から、発光セルを選択した後に、維持放電させる段階と、をさらに含むとしてもよい。
【００１０】
また、第１サブフィールドで、第１アドレス方式を利用して、発光セルを選択した後、維持放電させる段階は、第１アドレス方式を利用して、複数の第１表示ラインに形成されたセルの中から、発光セルを選択した後に、維持放電させる段階と、第１アドレス方式を利用して、複数の第２表示ラインに形成されたセルの中から、発光セルを選択した後に、維持放電させる段階と、を含むとしてもよい。
【００１１】
また、第２フレームに属し、第３サブフィールド以前の第４サブフィールドで、第１アドレス方式を利用して、複数の第２表示ラインに形成されたセルの中から、発光セルを選択した後に、維持放電させる段階と、第１アドレス方式を利用して、複数の第１表示ラインに形成されたセルの中から、発光セルを選択した後に、維持放電させる段階と、をさらに含むとしてもよい。
【００１２】
また、第１サブフィールドと第４サブフィールドとは、互いに同一加重値を有し、第２サブフィールドと第３サブフィールドとは、互いに同一加重値を有するとしてもよい。
【００１３】
また、第１フレームに属し、第１サブフィールド以前の第３サブフィールドで、第１アドレス方式を利用して、複数の第１表示ラインに形成されたセルの中からだけ、発光セルを選択した後に、維持放電させる段階と、第２フレームの第４サブフィールドで、第１アドレス方式を利用して、複数の第２表示ラインに形成されたセルの中からだけ、発光セルを選択した後に、維持放電させる段階と、をさらに含むとしてもよい。
【００１４】
また、第３サブフィールドと第４サブフィールドとは、互いに同一加重値を有するとしてもよい。
【００１５】
また、第２サブフィールドで、発光セルから非発光セルに転換される前の発光セルは、第１サブフィールドで維持放電が発生したセルであるとしてもよい。
【００１６】
また、プラズマ表示装置は、第１方向に形成される複数の第２電極及び複数の第３電極をさらに含み、複数の表示ラインは、複数の第２電極と複数の第３電極との間に各々形成されるとしてもよい。
【００１７】
また、複数の第１表示ラインは、複数の第３電極のうち、奇数配置番号の複数の第３電極と複数の第２電極との間に各々形成される複数の表示ラインを含み、複数の第２表示ラインは、複数の第３電極のうち、偶数配置番号の複数の第３電極と複数の第２電極との間に各々形成される複数の表示ラインを含むとしてもよい。
【００１８】
また、プラズマ表示装置は、第１方向に形成される複数の第２電極及び複数の第３電極をさらに含み、複数の表示ラインの各表示ラインは、複数の第２電極の各第２電極と、複数の第３電極のうち各第２電極の片側に隣接した第３電極との間に形成され、第１アドレス方式及び第２アドレス方式を適用する時、複数の第２電極の中から、２つずつの第２電極に同時に走査パルスを印加するとしてもよい。
【００１９】
また、上記課題を解決するために、本発明の別の観点によれば、複数の第１電極及び複数の第２電極と、複数の第１及び第２電極と交差する方向に形成される複数の第３電極と、複数の第１電極と複数の第２電極との間に各々形成される複数の表示ラインと、複数の表示ラインと複数の第３電極とが交差する領域に形成される複数のセルと、を含むプラズマ表示装置における、１フレームを複数のサブフィールドに分けて駆動する方法において、複数のサブフィールドのうち、第１サブフィールドの第１アドレス期間で、発光セルを非発光セル状態に転換するアドレス方式を利用して、複数の第２電極のうち第１グループの第２電極と、複数の第１電極とによって形成される複数の第１表示ラインから発光セルを選択する段階と、第１アドレス期間後に、発光セル状態のまま残っているセルを維持放電させる段階と、第１サブフィールドの第２アドレス期間で、アドレス方式を利用して、複数の第２電極のうち第２グループの第２電極と、複数の第１電極とによって形成される複数の第２表示ラインから発光セルを選択する段階と、第２アドレス期間後に、発光セル状態のまま残っているセルを維持放電させる段階と、を含むことを特徴とする、プラズマ表示装置の駆動方法が提供される。
【００２０】
また、第１アドレス期間で、第１グループの第２電極に第１電圧を印加し、第２グループの第２電極に第１電圧より低い第２電圧を印加した状態で、複数の第１表示ラインで非発光セルに選択するセルの第１電極及び第３電極に各々第１走査パルス及び第１アドレスパルスを印加して、第２アドレス期間で、第１グループの第２電極に第３電圧を印加し、第２グループの第２電極に第３電圧より高い第４電圧を印加した状態で、複数の第２表示ラインで非発光セルに選択するセルの第１電極及び第３電極に各々第２走査パルス及び第２アドレスパルスを印加するとしてもよい。
【００２１】
また、第１電圧と第４電圧とは、互いに同一電圧であり、第２電圧と第３電圧とは、互いに同一電圧であるとしてもよい。
【００２２】
また、第１走査パルスと第２走査パルスとは、同一走査電圧を有し、第１アドレスパルスと第２アドレスパルスとは、同一アドレス電圧を有するとしてもよい。
【００２３】
また、第１サブフィールドは、第１フレームに属し、第２フレームに属する第２サブフィールドの第３アドレス期間で、アドレス方式を利用して、複数の第２表示ラインから発光セルを選択する段階と、第３アドレス期間後に、発光セル状態のまま残っているセルを維持放電させる段階と、第２サブフィールドの第４アドレス期間で、アドレス方式を利用して、複数の第１表示ラインから発光セルを選択する段階と、第４アドレス期間後に、発光セル状態のまま残っているセルを維持放電させる段階と、をさらに含むとしてもよい。
【００２４】
また、複数の第２表示ラインに形成されたセルのうち、第２アドレス期間後に、発光セル状態のまま残っているセルのみを維持放電させる段階をさらに含むとしてもよい。
【００２５】
また、第１グループの第２電極に第５電圧を印加した状態で、複数の第１電極と第２グループの第２電極とに、第５電圧より高い第６電圧と第５電圧より低い第７電圧を交互に印加し、複数の第２表示ラインに形成されたセルのうち、第２アドレス期間後に、発光セル状態のまま残っているセルのみを維持放電させるとしてもよい。
【００２６】
また、第１グループの第２電極と第２グループの第２電極とのうち、一つは、奇数配置番号の第２電極を含み、残り一つは、偶数配置番号の第２電極を含むとしてもよい。
【００２７】
また、第１アドレス期間及び第２アドレス期間で非発光セルに設定される前の発光セルは、第１サブフィールド以前のサブフィールドで維持放電が発生したセルであるとしてもよい。
【００２８】
また、上記課題を解決するために、本発明の別の観点によれば、複数の第１電極及び複数の第２電極と、複数の第１及び第２電極と交差する方向に形成される複数の第３電極と、複数の第１電極と複数の第２電極との間に各々形成される複数の表示ラインと、複数の表示ラインと複数の第３電極とが交差する領域に形成される複数のセルと、を含むプラズマ表示装置における、１フレームを複数のサブフィールドに分けて駆動する方法において、複数のサブフィールドのうち、第１サブフィールドの第１リセット期間で、複数の第２電極のうち第１グループの第２電極と、複数の第１電極とによって形成される複数の第１表示ラインを初期化する段階と、第１サブフィールドの第１アドレス期間で、非発光セルを発光セル状態に転換するアドレス方式を利用して、第１表示ラインに形成されたセルの中から、発光セルを選択する段階と、第１サブフィールドの第１維持期間で、第１アドレス期間で発光セル状態に転換されたセルを維持放電させる段階と、第１サブフィールドの第２リセット期間で、複数の第２電極のうち第２グループの第２電極と、複数の第１電極とによって形成される複数の第２表示ラインを初期化する段階と、第１サブフィールドの第２アドレス期間で、アドレス方式を利用して、第２表示ラインに形成されたセルの中から、発光セルを選択する段階と、第１サブフィールドの第２維持期間で、第２アドレス期間で、発光セル状態に転換されたセルを維持放電させる段階と、を含むことを特徴とするプラズマ表示装置の駆動方法が提供される。
【００２９】
また、第１アドレス期間で、第１グループの第２電極に第１電圧を印加し、第２グループの第２電極に第１電圧より低い第２電圧を印加した状態で、複数の第１表示ラインに形成されたセルの中から、発光セルとして選択するセルの第１電極及び第３電極に、各々第１走査パルス及び第１アドレスパルスを印加し、第２アドレス期間で、第１グループの第２電極に第３電圧を印加し、第２グループの第２電極に第３電圧より高い第４電圧を印加した状態で、複数の第２表示ラインに形成されたセルの中から、発光セルとして選択するセルの第１電極及び第３電極に、各々第２走査パルス及び第２アドレスパルスを印加するとしてもよい。
【００３０】
また、第２リセット期間と第２アドレス期間との間の第１期間で、第１アドレス期間で発光セル状態に転換されたセルを維持放電させる段階をさらに含むとしてもよい。
【００３１】
また、第１期間で、複数の第１電極に第１電圧を印加し、第１グループの第２電極及び第２グループの第２電極に第１電圧より高い第２電圧を印加し、第２アドレス期間で、第１グループの第２電極及び第２グループの第２電極に第２電圧を印加した状態で、複数の第２表示ラインの中から発光セルとして選択するセルの第１電極及び第３電極に、各々走査パルス及びアドレスパルスを印加するとしてもよい。
【００３２】
また、第１リセット期間では、第１表示ラインに形成されたセルのうち、第１サブフィールドの以前サブフィールドで維持放電したセルのみをリセット放電させて、複数の第１表示ラインを初期化し、第２リセット期間では、第２表示ラインに形成した全てのセルをリセット放電させて、複数の第２表示ラインを初期化するとしてもよい。
【００３３】
また、第１リセット期間で、第１グループの第２電極に第１電圧を印加し、第２グループの第２電極に第１電圧より低い第２電圧を印加した状態で、複数の第１電極の電圧を漸進的に下降させ、第２リセット期間で、第１グループの第２電極に第３電圧を印加し、第２グループの第２電極に第３電圧より低い第４電圧を印加した状態で、複数の第１電極の電圧を漸進的に上昇させ、第１グループの第２電極に第５電圧を印加し、第２グループの第２電極に第５電圧より高い第６電圧を印加した状態で、複数の第１電極の電圧を漸進的に下降させるとしてもよい。
【００３４】
また、第３電圧と第６電圧は互いに同じ電圧レベルであり、第４電圧と第５電圧は互いに同じ電圧レベルであるとしてもよい。
【００３５】
また、第２維持期間では、第１維持期間で維持放電したセルも維持放電するとしてもよい。
【００３６】
また、第１サブフィールドは第１フレームに属し、第２フレームに属する第２サブフィールドの第３リセット期間で、複数の第２表示ラインを初期化する段階と、第２サブフィールドの第３アドレス期間で、アドレス方式を利用して、第２表示ラインに形成されたセルの中から、発光セルを選択する段階と、ｘ第２サブフィールドの第３維持期間で、第３アドレス期間で発光セル状態に転換されたセルを維持放電させる段階と、第２サブフィールドの第４リセット期間で、複数の第１表示ラインを初期化する段階と、第２サブフィールドの第４アドレス期間で、アドレス方式を利用して、第１表示ラインに形成されたセルの中から、点灯されるセルを選択する段階と、第２サブフィールドの第４維持期間で、第４アドレス期間で発光セル状態に転換されたセルを維持放電させる段階と、をさらに含むとしてもよい。
【００３７】
また、第１フレームに属し、第１サブフィールド以前の第３サブフィールドで、アドレス方式を利用して、複数の第１表示ラインに形成されたセルの中からだけ、発光セルを選択した後、維持放電させる段階と、第２フレームに属し、第２サブフィールド以前の第４サブフィールドで、アドレス方式を利用して、複数の第２表示ラインに形成されたセルの中からだけ、発光セルを選択した後、維持放電させる段階と、をさらに含むとしてもよい。
【００３８】
また、第１サブフィールドに連続する第２サブフィールドで、発光セルを非発光セル状態に転換するアドレス方式を利用して、複数の第１表示ラインに形成されたセルの中から、発光セルを選択した後、維持放電させる段階と、ｘ発光セルを非発光セル状態に転換するアドレス方式を利用して、複数の第２表示ラインに形成されたセルの中から、発光セルを選択した後、維持放電させる段階と、をさらに含むとしてもよい。
【００３９】
また、第１グループの第２電極と第２グループの第２電極とのうち、ｘ一つは、奇数配置番号の第２電極を含み、残り一つは、偶数配置番号の第２電極を含むとしてもよい。
【００４０】
また、上記課題を解決するために、本発明の別の観点によれば、複数の第１電極及び複数の第２電極と、複数の第１及び第２電極と交差する方向に形成される複数の第３電極と、複数の第１電極と複数の第２電極との間に各々形成される複数の表示ラインと、複数の表示ラインと複数の第３電極とが交差する領域に形成される複数のセルと、を含むプラズマ表示装置における、１フレームを複数のサブフィールドに分けて駆動する方法において、第１フレームの第１サブフィールドのリセット期間で、複数の第２電極のうち第１グループの第２電極と、複数の第１電極とにより形成される複数の第１表示ラインのみを初期化する段階と、第１サブフィールドのアドレス期間で、複数の第１表示ラインに形成されたセルの中からだけ、発光セルを選択する段階と、第１サブフィールドのアドレス期間で、発光セルとして選択されたセルを維持放電させる段階と、第２フレームに属する第２サブフィールドのリセット期間で、複数の第２電極のうち第２グループの第２電極と、複数の第１電極とによって形成される複数の第２表示ラインのみを初期化する段階と、第２サブフィールドのアドレス期間で、複数の第２表示ラインに形成されたセルの中からだけ、発光セルを選択する段階と、第２サブフィールドのアドレス期間で、発光セルとして選択されたセルを維持放電させる段階と、を含むことを特徴とする、プラズマ表示装置の駆動方法が提供される。
【００４１】
また、複数の第１表示ラインに形成されたセルの中からだけ発光セルを選択する段階は、第１グループの第２電極に第１電圧を印加し、第２グループの第２電極に第１電圧より低い第２電圧を印加した状態で、複数の第１表示ラインに形成されたセルのうち発光セルの第１電極及び第３電極に、各々第１走査パルス及び第１アドレスパルスを印加する段階を含み、複数の第２表示ラインに形成されたセルの中からだけ発光セルを選択する段階は、第１グループの第２電極に第３電圧を印加し、第２グループの第２電極に第３電圧より高い第４電圧を印加した状態で、複数の第２表示ラインに形成されたセルのうち発光セルの第１電極及び第３電極に、各々第２走査パルス及び第２アドレスパルスを印加する段階を含むとしてもよい。
【００４２】
また、複数の第１表示ラインのみを初期化する段階は、第１グループの第２電極に第５電圧を印加し、第２グループの第２電極に第５電圧より高い第６電圧を印加した状態で、複数の第１電極の電圧を漸進的に上昇させる段階と、第１グループの第２電極に第７電圧を印加し、第２グループの第２電極に第７電圧より低い第８電圧を印加した状態で、複数の第１電極の電圧を漸進的に下降させる段階と、を含み、複数の第２表示ラインのみを初期化する段階は、第１グループの第２電極に第９電圧を印加し、第２グループの第２電極に第９電圧より低い第１０電圧を印加した状態で、複数の第１電極の電圧を漸進的に上昇させる段階と、第１グループの第２電極に第１１電圧を印加し、第２グループの第２電極に第１１電圧より高い第１２電圧を印加した状態で、複数の第１電極の電圧を漸進的に下降させる段階と、を含むとしてもよい。
【００４３】
また、第１サブフィールドのリセット期間では、第１表示ラインに形成されたセルのうち、第１サブフィールドの以前のサブフィールドで維持放電したセルのみをリセット放電させて、複数の第１表示ラインのみを初期化し、第２サブフィールドのリセット期間では、第２表示ラインに形成されたセルのうち、第２サブフィールドの以前のサブフィールドで維持放電したセルのみをリセット放電させて、複数の第２表示ラインのみを初期化するとしてもよい。
【００４４】
また、第１グループの第２電極と第２グループの第２電極とのうち、一つは、奇数配置番号の第２電極を含み、残り一つは、偶数配置番号の第２電極を含むとしてもよい。
【００４５】
また、上記課題を解決するために、本発明の別の観点によれば、複数の第１電極及び複数の第２電極と、複数の第１及び第２電極と交差する方向に形成される複数の第３電極と、複数の第１電極の各第１電極と複数の第２電極のうち各第１電極に片側に隣接した第２電極との間に各々形成される複数の表示ラインと、複数の表示ラインと複数の第３電極とが交差する領域に形成されるセルと、を含むプラズマ表示装置における、１フレームを複数のサブフィールドに分けて駆動する方法において、複数のサブフィールドのうち、第１サブフィールドの第１アドレス期間で、複数の第２電極のうち第１グループの第２電極に第１電圧を印加し、複数の第２電極ののうち第２グループの第２電極に第１電圧より低い第２電圧を印加した状態で、複数の第１電極の中から２つずつの第１電極に同時に走査パルスを印加し、複数の表示ラインのうち第１グループの第２電極と隣接した複数の第１表示ラインに形成されたセルの中から、発光セルとしてより非発光セルとして設定するセルを選択する段階と、ｘ第１アドレス期間後に、発光セル状態のまま残っているセルを維持放電させる段階と、第１サブフィールドの第２アドレス期間で、第１グループの第２電極に第３電圧を印加し、第２グループの第２電極に第３電圧より高い第４電圧を印加した状態で、複数の第１電極の中から２つずつの第１電極に同時に走査パルスを印加し、複数の表示ラインのうち第２グループの第２電極と隣接した複数の第２表示ラインに形成されたセルの中から、発光セルとしてより非発光セルとして設定するセルを選択する段階と、第２アドレス期間後に、発光セル状態のまま残っているセルを維持放電させる段階と、を含むことを特徴とする、プラズマ表示装置の駆動方法が提供される。
【００４６】
また、第１サブフィールドは、第１フレームに属し、第２フレームに属する第２サブフィールドの第３アドレス期間で、第１グループの第２電極に第５電圧を印加し、複数の第２電極のうち第２グループの第２電極に第５電圧より高い第６電圧を印加した状態で、複数の第１電極の中から２つずつの第１電極に同時に走査パルスを印加し、複数の第２表示ラインに形成されたセルの中から、発光セルとしてより非発光セルとして設定するセルを選択する段階と、第３アドレス期間後に、発光セル状態のまま残っているセルを維持放電させる段階と、第２サブフィールドの第４アドレス期間で、第１グループの第２電極に第７電圧を印加し、第２グループの第２電極に第７電圧より低い第８電圧を印加した状態で、複数の第１電極の中から２つずつの第１電極に同時に走査パルスを印加し、複数の第１表示ラインに形成されたセルの中から、発光セルとしてより非発光セルとして設定するセルを選択する段階と、第２アドレス期間後に、発光セル状態のまま残っているセルを維持放電させる段階と、をさらに含むとしてもよい。
【００４７】
また、第１電圧、第４電圧、第６電圧及び第７電圧は、互いに同一電圧であり、第２電圧、第３電圧、第５電圧及び第８電圧は、互いに同一電圧であるとしてもよい。
【００４８】
また、第１グループの第２電極と第２グループの第２電極とのうち、一つは、奇数配置番号の第２電極を含み、残り一つは、偶数配置番号の第２電極を含むとしてもよい。
【００４９】
また、上記課題を解決するために、本発明の別の観点によれば、複数の第１電極及び複数の第２電極と、複数の第１及び第２電極と交差する方向に形成される複数の第３電極と、複数の第１電極の各第１電極と複数の第２電極のうち各第１電極に片側に隣接した第２電極との間に各々形成される複数の表示ラインと、複数の表示ラインと複数の第３電極とが交差する領域に形成されるセルと、を含むプラズマ表示装置で、１フレームを複数のサブフィールドに分けて駆動する方法において、複数のサブフィールドのうち、第１サブフィールドの第１リセット期間で、複数の第２電極のうち第１グループの第２電極と隣接した複数の第１表示ラインに形成されるセルを初期化する段階と、第１サブフィールドの第１アドレス期間で、第１グループの第２電極に第１電圧を印加し、複数の第２電極のうち第２グループの第２電極に第１電圧より低い第２電圧を印加した状態で、複数の第１電極の中から２つずつの電極に同時に走査パルスを印加して、複数の第１表示ラインに形成されたセルの中から、非発光セルとしてより発光セルとして設定するセルを選択する段階と、第１サブフィールドの第１維持期間で、第１アドレス期間で発光セルに設定されたセルを維持放電させる段階と、第１サブフィールドの第２リセット期間で、複数の表示ラインのうち第２グループの第２電極と隣接した複数の第２表示ラインに形成されたセルを初期化する段階と、第１サブフィールドの第２アドレス期間で、第１グループの第２電極に第３電圧を印加し、第２グループの第２電極に第３電圧より高い第４電圧を印加した状態で、複数の第１電極の中から２つずつの電極に同時に走査パルスを印加して、複数の第２表示ラインに形成されたセルの中から、非発光セルとしてより発光セルとして設定するセルを選択する段階と、第１サブフィールドの第２維持期間で、第２アドレス期間で発光セルとして設定されたセルを維持放電させる段階と、を含むことを特徴とする、プラズマ表示装置の駆動方法が提供される。
【００５０】
また、第１リセット期間では、複数の第１表示ラインに形成されたセルのうち、第１サブフィールドの以前のサブフィールドで維持放電したセルのみをリセット放電させて、複数の第１表示ラインに形成されたセルを初期化して、第２リセット期間では、複数の第２表示ラインに形成された全てのセルをリセット放電させて、複数の第２表示ラインに形成されたセルを初期化するとしてもよい。
【００５１】
また、第２維持期間では、第１維持期間で維持放電したセルも維持放電するとしてもよい。
【００５２】
また、第１サブフィールドは、第１フレームに属し、第２フレームに属する第２サブフィールドの第３リセット期間で、複数の第２表示ラインに形成されたセルを初期化する段階と、第２サブフィールドの第３アドレス期間で、第１グループの第２電極に第５電圧を印加し、第２グループの第２電極に第５電圧より高い第６電圧を印加した状態で、複数の第１電極の中から２つずつの電極に同時に走査パルスを印加して、複数の第２表示ラインに形成されたセルの中から、非発光セルとしてより発光セルとして設定するセルを選択する段階と、第２サブフィールドの第３維持期間で、第３アドレス期間で発光セルとして設定されたセルを維持放電させる段階と、第２サブフィールドの第４リセット期間で、複数の第１表示ラインに形成されたセルを初期化する段階と、ｘ第２サブフィールドの第４アドレス期間で、第１グループの第２電極に第７電圧を印加し、第２グループの第２電極に第７電圧より低い第８電圧を印加した状態で、複数の第１電極の中から２つずつの電極に同時に走査パルスを印加して、複数の第１表示ラインで形成されたセルの中から、非発光セルとしてより発光セルとして設定するセルを選択する段階と、第２サブフィールドの第４維持期間で、第４アドレス期間で発光セルに設定されたセルを維持放電させる段階と、を含むとしてもよい。
【００５３】
また、第１グループの第２電極と第２グループの第２電極とのうち、一つは、奇数配置番号の第２電極を含み、残り一つは、偶数配置番号の第２電極を含むとしてもよい。
【００５４】
また、上記課題を解決するために、本発明の別の観点によれば、第１方向に形成される複数の表示ラインと、第１方向と交差する第２方向に形成される複数の第１電極と、複数の第１電極と複数の表示ラインとが互いに交差する領域に形成される複数のセルと、を含み、複数の表示ラインは、複数の第１表示ラインと複数の第２表示ラインとに分けられるプラズマ表示パネルと、ｘ第１フレームの第１サブフィールドで、非発光セルを発光セル状態に転換させる第１アドレス方式を利用して、複数の第１表示ラインと複数の第２表示ラインのうち少なくとも一つに形成されたセルの中から、発光セルを選択した後、維持放電させ、第１フレームの第２サブフィールドで、発光セルを非発光セル状態に転換させる第２アドレス方式を利用して、複数の第１表示ラインに形成されたセルの中から、発光セルを選択した後、維持放電させ、第２サブフィールドで、第２アドレス方式を利用して、複数の第２表示ラインに形成されたセルの中から、発光セルを選択した後、維持放電させる駆動部と、を含むことを特徴とする、プラズマ表示装置が提供される。
【００５５】
また、プラズマ表示パネルは、第１方向に形成される複数の第２電極及び複数の第３電極をさらに含み、複数の表示ラインは、複数の第２電極と複数の第３電極との間に各々形成され、複数の第１表示ラインは、複数の第３電極のうち第１グループの第３電極と、複数の第２電極との間に各々形成され、複数の第２表示ラインは、複数の第３電極のうち第２グループの第３電極と、複数の第２電極との間に各々形成されるとしてもよい。
【００５６】
また、プラズマ表示パネルは、第１方向に形成される複数の第２電極及び複数の第３電極をさらに含み、複数の表示ラインの各表示ラインは、複数の第２電極の各第２電極と、複数の第３電極のうち各第２電極の片側に隣接した第３電極との間に形成され、複数の第１表示ラインは、複数の第３電極のうち第１グループの第３電極と、複数の第２電極との間に形成され、複数の第２表示ラインは、複数の第３電極のうち第２グループの第３電極と、複数の第２電極との間に形成され、駆動部は、第１アドレス方式及び第２アドレス方式を適用する時、複数の第２電極の中から２つずつの第２電極に同時に走査パルスを印加するとしてもよい。
【００５７】
また、駆動部は、ｘ第２フレームの第３サブフィールドで、第２アドレス方式を利用して複数の第２表示ラインに形成されたセルの中から、発光セルを選択した後、維持放電させ、第２アドレス方式を利用して複数の第１表示ラインに形成されたセルの中から、発光セルを選択した後、維持放電させるとしてもよい。
【００５８】
また、駆動部は、第２フレームに属し、第３サブフィールド以前の第４サブフィールドで、第１アドレス方式を利用して、複数の第２表示ラインに形成されたセルの中から、発光セルを選択した後、維持放電させ、第１アドレス方式を利用して、複数の第１表示ラインに形成されたセルの中から、発光セルを選択した後、維持放電させるとしてもよい。
【００５９】
また、駆動部は、第１サブフィールドで、第１アドレス方式を利用して、複数の第１表示ラインに形成されたセルの中から、発光セルを選択した後、維持放電させ、第１アドレス方式を利用して、複数の第２表示ラインに形成されたセルの中から、発光セルを選択した後、維持放電させるとしてもよい。
【００６０】
また、駆動部は、第１フレームに属し、第１サブフィールド以前の第３サブフィールドで、第１アドレス方式を利用して、複数の第１表示ラインに形成されたセルの中からだけ、発光セルを選択した後、維持放電させ、第２フレームの第４サブフィールドで、第１アドレス方式を利用して、複数の第２表示ラインに形成されたセルの中からだけ、発光セルを選択した後、維持放電させるとしてもよい。
【００６１】
また、駆動部は、第１グループの第２電極に第１電圧を印加し、第２グループの第２電極に第１電圧より低い第２電圧を印加した状態で、複数の第１電極の中より選択する第１電極に走査パルスを印加して、第１表示ラインに形成されたセルの中から、発光セルを選択し、第１グループの第２電極に第３電圧を印加し、第２グループの第２電極に第３電圧より高い第４電圧を印加した状態で、複数の第１電極の中より選択する第１電極に走査パルスを印加して、第２表示ラインに形成されたセルの中から、発光セルを選択するとしてもよい。
【００６２】
また、駆動部は、第２サブフィールドで、複数の第１表示ラインに形成されたセルの中から、発光セルを選択する時に、第１グループの第２電極に第１電圧を印加し、第２グループの第２電極に第１電圧より低い第２電圧を印加して、複数の第２表示ラインに形成されたセルの中から、発光セルを選択する時に、第１グループの第２電極に第３電圧を印加し、第２グループの第２電極に第３電圧より高い第４電圧を印加するとしてもよい。
【００６３】
また、第２サブフィールドで、発光セルから非発光セルに転換される前の発光セルは、第１サブフィールドの維持放電が発生したセルであるとしてもよい。
【００６４】
また、第１グループの第２電極と第２グループの第２電極とのうち、一つは、奇数配置番号の第２電極を含み、残り一つは、偶数配置番号の第２電極を含むとしてもよい。
【発明の効果】
【００６５】
以上説明したように、本発明によれば、スキャン回路の個数を減らすことができる。
【発明を実施するための最良の形態】
【００６６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００６７】
また、ある部分がある構成要素を"含む"という表現は、これは特に反対の記載がない限り、他の構成要素を除くことではなく、他の構成要素をさらに含むことができることを意味する。
【００６８】
そして、本発明の実施形態において、壁電荷は、セルの壁（例えば、誘電体層）上で各電極に接近して形成される電荷を言う。そして、壁電荷は、実際に電極自体に接触していないが、ここでは "電極に形成される"、"電極に蓄積される"または"電極に積まれる"のように表現する。また、壁電圧は、壁電荷によってセルの壁に形成される電位差を言う。
【００６９】
（プラズマ表示装置の構成）
まず、本発明の実施形態にかかるプラズマ表示装置の構成について、図１〜図３を参照して説明する。図１は、本発明の実施形態にかかるプラズマ表示装置の構成を示す図である。
【００７０】
図１に示すように、本発明の実施形態によるプラズマ表示装置は、プラズマ表示パネル１００、制御部２００、アドレス電極駆動部３００、走査電極駆動部４００及び維持電極駆動部５００を含む。
【００７１】
プラズマ表示パネル１００は、列（縦）方向（第１方向）に伸びている複数の第３電極である複数のアドレス電極（Ａ１〜Ａｍ）と、行（横）方向（第２方向）に伸びている複数の維持電極（Ｘ１〜Ｘｎ）及び走査電極（Ｙ１〜Ｙｎ）とを含む。維持電極（Ｘ１〜Ｘｎ）及び走査電極（Ｙ１〜Ｙｎ）は、一本ずつ対になり、（Ｙ１，Ｘ１，Ｙ２，Ｘ２,-----，Ｙｎ，Ｘｎ）のように並んでいる。
【００７２】
制御部２００は、外部から映像信号を受信してアドレス電極駆動制御信号、維持電極駆動制御信号及び走査電極駆動制御信号を出力する。そして制御部２００は、１フレームをそれぞれの輝度加重値を有する複数のサブフィールドに分割して駆動する。また、本発明の実施形態によると、制御部２００は、複数のＸ電極（維持電極（Ｘ１〜Ｘｎ））を奇数配置番号の維持電極（Ｘｏｄｄ）と、偶数配置番号の維持電極（Ｘｅｖｅｎ）に分割して駆動するように制御する。
【００７３】
アドレス電極駆動部３００は、制御部２００からアドレス電極駆動制御信号を受信してアドレス電極（Ａ１〜Ａｍ）に駆動電圧を印加する。
【００７４】
走査電極駆動部４００は、制御部２００から走査電極駆動制御信号を受信して走査電極（Ｙ１〜Ｙｎ）に駆動電圧を印加する。
【００７５】
維持電極駆動部５００は、制御部２００から維持電極駆動制御信号を受信して維持電極（Ｘ１〜Ｘｎ）に駆動電圧を印加する。
【００７６】
以下で、図２を参照しながら、本実施形態にかかるプラズマ表示装置のプラズマ表示パネルの一例を説明する。図２は、本実施形態に使用するプラズマ表示パネル１００の一例を示す電極配列図である。
【００７７】
図２に示したように、プラズマ表示パネル１００は、列方向に伸びているアドレス電極（Ａ１〜Ａｍ）と、行方向に伸びている複数の維持電極及び走査電極（Ｘ１，Ｙ１，Ｘ２，Ｙ２,-----，Ｘｎ，Ｙｎ）とを含む。この時、アドレス電極（Ａ１〜Ａｍ）が一つの基板に形成され、維持電極（Ｘ１〜Ｘｎ）と走査電極（Ｙ１〜Ｙｎ）とが他の基板に形成されて、両基板の電極形成面が互いに対向配置される。本実施形態に使用するプラズマ表示パネル１００の一例では更に、隣接する走査電極と維持電極の間に、画像表示用の表示ライン（Ｌ１〜Ｌ２ｎ-１）が、図左端の矢印で示す位置にＸ電極とＹ電極とに対して平行に配置される。また、これらの諸電極は、導電性の導線として形成されて、互いに電気的に絶縁され、２種類の導線が局部的に接近する部位、特に交差部位で、印加電圧に応じて放電する。
【００７８】
例えば、配置番号１の走査電極（Ｙ１）と配置番号１の維持電極（Ｘ１）との間に表示ライン（Ｌ１）が形成されるだけではなく、配置番号１の走査電極（Ｙ１）と配置番号２の維持電極（Ｘ２）との間には、表示ライン（Ｌ２）が形成される。つまり、一つの走査電極（Ｙｉ）と、これの上下に隣接する二つの維持電極（Ｘｉ、Ｘ（ｉ+１））によって、二つの表示ライン（Ｌ２ｉ-１、Ｌ２ｉ）が形成される。この表示ライン（Ｌ１〜Ｌ（２ｎ-１）とアドレス電極（Ａ１〜Ａｍ）の交差部にある放電空間が、各々放電セル２８（図示せず）を形成して、この放電セル２８は、隔壁２９(図示せず)によって区画されている。このような維持電極（Ｘ１〜Ｘｎ）と走査電極（Ｙ１〜Ｙｎ）とは、行方向に沿って伸びていて、幅が狭いバス電極（３１ａ、３２ａ）と幅が広い透明電極（３１ｂ、３２ｂ）とをそれぞれ含み、透明電極（３１ｂ、３２ｂ）は、各々バス電極（３１ａ、３２ａ）と連結されている。これとは異なって、透明電極がなく幅が広いバス電極だけで維持電極（Ｘ１〜Ｘｎ）と走査電極（Ｙ１〜Ｙｎ）を形成することもでき、バス電極がなく透明電極だけで維持電極（Ｘ１〜Ｘｎ）と走査電極（Ｙ１〜Ｙｎ）を形成することもできる。そして図２には示されていないが、バス電極（３１ａ、３２ａ）の上にも隔壁を形成して、放電セル２８を列方向に細分し区画することができる。なお、隔壁２９は、放電セル２８を行方向に細分し区画する。
【００７９】
このように本実施形態に使用するプラズマ表示パネル１００の一例によれば、各々の維持電極と走査電極は、隣接した２つの表示ラインを共有する構造で配置されているため、一つの維持電極と一つの走査電極とが一つの表示ラインを共有する構造に比べて、維持電極と走査電極の数を減らすことができる。例えば、５１２個の表示ラインを駆動する場合、一つの維持電極と一つの走査電極とが一つの表示ラインを共有するプラズマ表示パネルにおいては、維持電極と走査電極の数は、各々５１２個が必要となる。しかし、本実施形態によるプラズマ表示パネル１００の一例ように、維持電極と走査電極とが各々隣接した２つの表示ラインを共有するプラズマ表示パネルでは、維持電極と走査電極とが各々５１２個の半分程度だけあればよい。つまり、本実施形態によるプラズマ表示パネルの一例は、表示ラインの数をほとんど２倍に増やすことができ、維持電極と走査電極が一つの表示ラインを共有するプラズマ表示パネルと同一解像度を有するプラズマ表示パネルを設計する場合、走査電極と維持電極の数をほとんど１／２に減らすことができる。
【００８０】
このようなプラズマ表示パネル１００の構造は、本実施形態にかかる駆動方法を適用できるプラズマ表示パネルの一例であり、以下で説明する駆動方法が適用できる他の構造のパネルも本実施形態にかかる駆動方法に適用できる。
【００８１】
図３は、本実施形態に使用するプラズマ表示パネル１００の他の例を示す電極配列図である。
【００８２】
図３に示したように、本実施形態にかかるプラズマ表示装置のプラズマ表示パネルの他の例の電極配列は、一つ維持電極と一つ走査電極とが一つの表示ラインのみを共有することを除いて、上記本実施形態によるプラズマ表示パネルの一例と同一である。つまり、本実施形態によるプラズマ表示パネルの他の例は、走査電極（Ｙｉ）と維持電極（Ｘｉ＋１）の間にも隔壁２９’が形成されて、表示ライン（Ｌｉ）は、同じ配置番号ｉに対応する維持電極（Ｘｉ）と走査電極（Ｙｉ）との間にだけ形成される。このため、図１と異なって、透明電極（３１ｂ、３２ｂ）は、表示ライン側にだけ形成することができる。
【００８３】
従って、表示ラインの数は、上記プラズマ表示パネルの一例に比べて１／２（つまり、ｎ）に減り、上記プラズマ表示パネルの一例と同じ解像度を設計する場合、維持電極と走査電極との個数が２倍に増加する。しかし、本実施形態によるプラズマ表示パネルの他の例による電極配列の場合には、以下で説明する駆動方法が適用される時、各アドレス期間で走査パルスが二つの走査電極に同時に印加される。ここで、二つの走査電極に一つのスキャン回路が連結されて、各アドレス期間で走査パルスが同時に二つの走査電極に同時に印加されることを除いて、以下で説明される駆動方法が同様に適用できる。
【００８４】
（プラズマ表示装置の駆動方法）
以下、図４を参照して、上記で説明した本実施形態によるプラズマ表示パネルの一例及び他の例の構造を有するプラズマ表示装置を駆動する方法について説明する。ここで、便宜上、図２に示した本実施形態のプラズマ表示パネルの一例を基準として、プラズマ表示装置を駆動する方法について説明し、図３で示した本実施形態のプラズマ表示パネルの他の例には、下記に説明する駆動方法において、各サブフィールドのアドレス期間で印加される走査パルスを同時に二つの走査電極に印加することを除いて同様である。
【００８５】
図４は、本発明の実施形態にかかるプラズマ表示装置の駆動方法を示す図である。
【００８６】
下記の説明では、奇数配置番号の維持電極（Ｘｏｄｄ）と走査電極（Ｙ１〜Ｙｎ）との間に形成される表示ライン（Ｘｏｄｄラインまたは第１表示ラインという）上の放電セルを"Ｘｏｄｄラインのセル"といい、偶数配置番号の維持電極（Ｘｅｖｅｎ）と走査電極（Ｙ１〜Ｙｎ）との間に形成される表示ライン（Ｘｅｖｅｎラインまたは第２表示ラインという）上の放電セルを"Ｘｅｖｅｎラインのセル"という。そして、維持期間で維持放電が起こるように適切に壁電荷が形成された放電セルを"発光セル"といい、維持期間で維持放電が起こらないように適切に壁電荷が形成された放電セルを"非発光セル"という。また、以前のサブフィールドで維持放電したセルだけでなく、維持放電しないセルをリセット放電させて初期化するリセット期間を"メインリセット期間（ＭＲ）"といい、以前のサブフィールドで維持放電したセルのみをリセット放電させて初期化するリセット期間を"選択的リセット期間（ＳＲ）"という。ここで、「以前のサブフィールド」とは、当該動作（この場合、各リセット期間）を含むサブフィールドより前のサブフィールドを意味し、以下同様に使用する。一方、非発光セル状態の放電セルをアドレス放電させて、発光セル状態の放電セルとして設定するアドレシング方式（つまり、記入アドレス方式または第１アドレス方式）を適用するアドレス期間を"記入アドレス期間（ＷＡ）"といい、発光セル状態の放電セルをアドレス放電させて非発光セル状態の放電セルとして設定するアドレシング方式（つまり、消去アドレス方式または第２アドレス方式）を適用するアドレス期間を"消去アドレス期間（ＥＡ）"という。
【００８７】
図４に示したように、本実施形態にかかるプラズマ表示装置の駆動方法は、各フレームは、奇数（ｏｄｄ）フレーム（第１フレーム）と偶数（ｅｖｅｎ）フレーム（第２フレーム）に分けられ、互いに異なって駆動される。また、各フレームは、複数のサブフィールド（ＳＦ１〜ＳＦ１０）に分離されて、駆動される。各サブフィールド（ＳＦ１〜ＳＦ１０）は、階調表示のために所定の加重値を有し、本実施形態では、各サブフィールド（ＳＦ１〜ＳＦ１０）の加重値が順に{１、２、４、８、８、８、８、８、８、８}を有するものを示したが、これは一つの例であり他の加重値が設定されてもよい。
【００８８】
奇数（ｏｄｄ）フレームの第１〜第３サブフィールド（ＳＦ１〜ＳＦ３）において、Ｘｏｄｄラインのセルに対してだけ、サブフィールドの所定動作が行われ、Ｘｅｖｅｎラインのセルではサブフィールドの所定動作が行われない。そして偶数（ｅｖｅｎ）フレームの第１〜第３サブフィールド（ＳＦ１〜ＳＦ３）において、Ｘｅｖｅｎラインのセルに対してだけ、サブフィールドの所定動作が行われて、Ｘｏｄｄラインのセルではサブフィールドの所定動作が行われない。これにより、第１〜第３サブフィールド（ＳＦ１〜ＳＦ３）は、二つのフレームごとに１度ずつ発光を行う。つまり、低階調サブフィールドである第１〜第３サブフィールド（ＳＦ１〜ＳＦ３）は、全体セルに対して二つのフレームである奇数フレームと偶数フレームとを通して表現される。
【００８９】
奇数（ｏｄｄ）フレームの第１サブフィールド（ＳＦ１）は、メインリセット期間（ＭＲ）、記入アドレス期間（ＷＡ）及び維持期間（Ｓ）を含む。次に、第２及び第３サブフィールド（ＳＦ２、ＳＦ３）は、各々選択的リセット期間（ＳＲ）、記入アドレス期間（ＷＡ）及び維持期間（Ｓ）を含む。以上で説明したように、奇数フレームの第１〜第３サブフィールド（ＳＦ１〜ＳＦ３）では、各々Ｘｏｄｄラインのセルに対してだけリセット期間（ＭＲ又はＳＲ）、アドレス期間（ＷＡ）及び維持期間（Ｓ）の所定動作を行う。一方、図４では、第２及び第３サブフィールド（ＳＦ２、ＳＦ３）のリセット期間は、リセット期間短縮及びコントラストを向上させるために選択的リセット期間（ＳＲ）に設定したが、メインリセット期間（ＭＲ）で代替できることはいうまでもない。
【００９０】
次に奇数（ｏｄｄ）フレームの第４サブフィールド（ＳＦ４）では、まず、Ｘｏｄｄラインのセルに対して選択的リセット期間（ＳＲ）、第１記入アドレス期間（ＷＡ１）、及び第１維持期間（Ｓ１）を行った後、Ｘｅｖｅｎラインのセルに対してメインリセット期間（ＭＲ）、第２記入アドレス期間（ＷＡ２）及び第２維持期間（Ｓ２）の所定動作を行う。ここで、Ｘｅｖｅｎラインのセルについては、以前のサブフィールドである第１〜第３サブフィールド（ＳＦ１〜ＳＦ３）でいかなる動作も行われていないため、Ｘｅｖｅｎラインのセルを初期化させるために、メインリセット期間（ＭＲ）の所定動作が行われる。一方、第２維持期間（Ｓ２）において、Ｘｅｖｅｎラインのセルで維持放電が発生する時には、Ｘｏｄｄラインのセルでも、以前に第１維持期間（Ｓ１）で維持放電が発生したため、維持放電が重複して発生する。
【００９１】
第５〜第１０サブフィールド（ＳＦ５〜ＳＦ１０）では、全てのセル（Ｘｏｄｄ、Ｘｅｖｅｎ）に対してサブフィールド動作が行われる。すなわち、第５〜第１０サブフィールド（ＳＦ５〜ＳＦ１０）は、各々消去アドレス期間（ＥＡ１、ＥＡ２）、及び維持期間（Ｓ１、Ｓ２）を含む。ここで、第５〜第１０サブフィールド（ＳＦ５〜ＳＦ１０）では、まず、Ｘｏｄｄラインのセルに対して第１消去アドレス期間（ＥＡ１）を行った後、第１維持期間（Ｓ１）を行って、次にＸｅｖｅｎラインのセルに対して第２消去アドレス期間（ＥＡ２）を行った後、第２維持期間（Ｓ）の所定動作を行う。第４サブフィールド（ＳＦ４）の維持期間で維持放電したセルは、既に発光セル状態であるため、第５サブフィールド（ＳＦ５）の消去アドレス期間（ＥＡ１、ＥＡ２）ではこのような発光セルの中から、選択しようとするセルを非発光セル状態に設定する。そして、各々の第６サブフィールド〜第１０サブフィールド（ＳＦ６〜ＳＦ１０）の消去アドレス期間（ＥＡ１、ＥＡ２）では、以前のサブフィールドの維持期間で維持放電したセル（つまり、発光セル）の中から、非発光セル状態に設定するセルを選択し、非発光セル状態に設定する。図４において、Ｘｏｄｄラインのセルだけでなく、Ｘｅｖｅｎラインのセルに対して、全て維持期間（Ｓ１、Ｓ２）が表示されている部分は、奇数配置番号の維持電極（Ｘｏｄｄ）及び偶数配置番号の維持電極（Ｘｅｖｅｎ）の全部に維持放電パルスが印加されて、Ｘｏｄｄラインのセル及びＸｅｖｅｎラインのセルの全部で維持放電が発生できることを示す。
【００９２】
一方、偶数フレーム（ｅｖｅｎ）に対する駆動方法は、奇数フレーム（ｏｄｄ）に対する駆動方法において、Ｘｏｄｄラインのセルに対して行った動作をＸｅｖｅｎラインのセルに行い、Ｘｅｖｅｎラインのセルに対して行った動作をＸｏｄｄラインのセルに行う以外同様である。よって、以下では、具体的説明は省略する。つまり、偶数フレームの第１〜第３サブフィールド（ＳＦ１〜ＳＦ３）では、各々Ｘｅｖｅｎラインのセルに対してだけリセット期間、記入アドレス期間及び維持期間を行い、第４サブフィールド（ＳＦ４）では、まず、Ｘｅｖｅｎラインのセルに対してリセット期間、記入アドレス期間及び維持期間を行った後、Ｘｏｄｄラインのセルに対してリセット期間、記入アドレス期間及び維持期間の所定動作を行う。そして、偶数フレームの第５〜第１０サブフィールド（ＳＦ５〜ＳＦ１０）では、各々Ｘｅｖｅｎラインのセルに対して、消去アドレス期間及び維持期間を行った後、Ｘｏｄｄラインのセルに対して消去アドレス期間及び維持期間の所定動作を行う。
【００９３】
図４で、第５〜第８サブフィールド（ＳＦ５〜ＳＦ１０）の加重値が各々第４サブフィールド（ＳＦ４）と同じ加重値を有するものとして示したが、これは消去アドレス期間（ＥＡ）で消去アドレシング方式が適用される場合には、消去アドレス期間（ＥＡ）で選択されて非発光セルとして設定されるセルは、以降サブフィールドで再び発光セル状態に変更できないためである。ここで、第５〜第８サブフィールド（ＳＦ〜ＳＦ１０）のそれぞれの加重値を加重値８より高い加重値を設定することができるが、この場合には２５６階調が全部表現できないため、表現できない階調は、Ｄｉｔｈｅｒｉｎｇ方法などを通して表現することができる。
【００９４】
（プラズマ表示装置の駆動波形）
以下、図５〜図９を参照して、図４の駆動方法を適用するための駆動波形に対して詳細に説明する。図５〜図９に示した駆動波形は、奇数フレームで印加される駆動波形を示したものであり、偶数フレームに印加される駆動波形は、奇数フレームに印加される駆動波形において、奇数配置番号の維持電極（Ｘｏｄｄ）に印加する駆動波形と、偶数配置番号の維持電極（Ｘｅｖｅｎ）に印加する駆動波形と、互いに反対に印加して実現することができるため、具体的に図に示していない。従って、以下、奇数フレームに印加する駆動波形を中心に説明する。
【００９５】
まず、図５を参照して、第１〜第３サブフィールド（ＳＦ１〜ＳＦ３）で印加される駆動波形について説明する。図５は、本実施形態にかかるプラズマ表示装置の駆動波形のうち、第１〜第３サブフィールド（ＳＦ１〜ＳＦ３）に印加される駆動波形を示した図である。
【００９６】
図５に示したように、第１サブフィールド（ＳＦ１）は、メインリセット期間（ＭＲ）、記入アドレス期間（ＷＡ）及び維持期間（Ｓ）を含み、第２サブフィールド（ＳＦ２）及び第３サブフィールド（ＳＦ３）は、各々選択的リセット期間（ＳＲ）、記入アドレス期間（ＷＡ）及び維持期間（Ｓ）を含む。
【００９７】
ここで、第１サブフィールド（ＳＦ１）のメインリセット期間（ＭＲ）は、消去期間（Ｉ）、上昇期間（ＩＩ）及び下降期間（ＩＩＩ）を含む。
【００９８】
メインリセット期間（ＭＲ）の消去期間（Ｉ）では、奇数配置番号の維持電極（Ｘｏｄｄ）及び偶数配置番号の維持電極（Ｘｅｖｅｎ）にＶｅ電圧を印加した状態で、走査電極（Ｙ１〜Ｙｎ）の電圧をＶｓ電圧から基準電圧（図５では０Ｖに示した。以下、同様）まで漸進的に下降させる。第１サブフィールド（ＳＦ１）の以前のサブフィールドで維持放電したセルは、維持電極と走査電極に各々正（＋）の壁電荷と負（−）の壁電荷が形成されている。よって、消去期間（Ｉ）のような波形を印加することにより、壁電荷が消去される。これにより、第１サブフィールド（ＳＦ１）の以前のサブフィールドで維持放電したセルは、維持放電していないセルとほとんど類似する壁電荷状態となる。ここで、図５では、第１サブフィールド（ＳＦ１）の消去期間（Ｉ）に印加される消去波形として、走査電極（Ｙ１〜Ｙｎ）に漸進的に下降する波形を印加したが、その他に消去波形として走査電極（Ｙ１〜Ｙｎ）を基準電圧（０Ｖ）でバイアスした状態で維持電極（Ｘｅｖｅｎ、Ｘｏｄｄ）の電圧を漸進的に上昇させる波形、短いパルスによって壁電荷を消去させる細幅パルス波形などが代替できることはいうまでもない。
【００９９】
次にメインリセット期間（ＭＲ）の上昇期間（ＩＩ）で、偶数配置番号の維持電極（Ｘｅｖｅｎ）にＶｅ電圧を印加し、奇数配置番号の維持電極（Ｘｏｄｄ）に基準電圧（０Ｖ）を印加した状態で、走査電極（Ｙ１〜Ｙｎ）の電圧をＶｓ電圧からＶｓｅｔ電圧まで漸進的に上昇させる。そして、アドレス電極（Ａ１〜Ａｍ）に基準電圧（０Ｖ）を印加する。
【０１００】
ここで、走査電極（Ｙ１〜Ｙｎ）のうち、奇数配置番号の維持電極（Ｘｏｄｄ）と共に表示ラインを形成する走査電極を、以下では、”Ｙｘｏ”という。つまり、図２のような本実施形態のプラズマ表示パネルの一例の電極配列において、”Ｙｘｏ電極”は、全ての走査電極（Ｙ１〜Ｙｎ）のうち、奇数配置番号の維持電極（Ｘｏｄｄ）に隣接した走査電極領域を意味する。また、図３のような本実施形態のプラズマ表示パネルの他の例の電極配列において、”Ｙｘｏ電極”は、奇数配置番号の走査電極（Ｙｏｄｄ）を意味する。以下、”Ｙｘｏ”は、この意味として同様に用いる。また、偶数配置番号の維持電極（Ｘｅｖｅｎ）と表示ラインを形成する走査電極を、以下では、”Ｙｘｅ”という。つまり、図２のような本実施形態のプラズマ表示パネルの一例の電極配列において、”Ｙｘｅ電極”は、全ての走査電極（Ｙ１〜Ｙｎ）のうち、偶数配置番号の維持電極（Ｘｅｖｅｎ）に隣接した走査電極領域を意味する。また、図３のような本実施形態のプラズマ表示パネルの他の例の電極配列において、”Ｙｘｅ電極”は、偶数配置番号の走査電極（Ｙｅｖｅｎ）を意味する。以下、'Ｙｘｅ'はこのような意味として同様に用いる。
【０１０１】
ここで、奇数配置番号の維持電極（Ｘｏｄｄ）にだけ基準電圧（０Ｖ）を印加するため、奇数配置番号の維持電極（Ｘｏｄｄ）と上記Ｙｘｏ電極との間で、微弱な放電であるリセット放電が発生する。また、偶数配置番号の維持電極（Ｘｅｖｅｎ）にはＶｅ電圧を印加するため、偶数配置番号の維持電極（Ｘｅｖｅｎ）と上記Ｙｘｅ電極との間では、リセット放電が発生しない。また、走査電極（Ｙ１〜Ｙｎ）とアドレス電極（Ａ１〜Ａｍ）との間でも微弱なリセット放電が起こる。
【０１０２】
これにより、図２のようなプラズマ表示パネルの一例の電極配列の場合には、全ての走査電極（Ｙ１〜Ｙｎ）で、奇数配置番号の維持電極（Ｘｏｄｄ）に隣接した領域（透明電極）に、負（−）の壁電荷が形成される。また、図３のようなプラズマ表示パネルの他の例の電極配列の場合には、奇数配置番号の走査電極（Ｙ１、Ｙ３、…）に負（−）の壁電荷が形成される。つまり、走査電極（Ｙｘｏ）に負（−）の壁電荷が形成される。そして奇数配置番号の維持電極（Ｘｏｄｄ）に正（＋）の壁電荷が形成され、アドレス電極（Ａ１〜Ａｍ）に負（-）の壁電荷が形成される。つまり、Ｘｏｄｄラインのセルにだけリセット放電が発生して初期化される。
【０１０３】
そして各電極の電圧が図５のように漸進的に変わる場合には、セルに微弱な放電が起こりながら、外部から印加された電圧とセルの壁電圧とを合わせて、放電開示電圧状態を維持するように壁電荷が形成される。このような原理に関しては、特許文献１に開示されている。一方、第１サブフィールドのメインリセット期間では、以前のサブフィールドで維持放電したセルでも維持放電しないセルでも初期化するべきであるため、Ｖｓｅｔ電圧は、全ての条件のセルで放電を起こすことができるほどに高い電圧である。また、Ｖｓ電圧は、走査電極（Ｙ１〜Ｙｎ）と維持電極（Ｘ１〜Ｘｎ）との間の放電開示電圧より低い電圧である。また、図５では、電源数を減らすために維持期間で印加される維持放電パルス電圧と同一電圧に設定したが、他の電圧に設定することもできる。そしてＶｅ電圧は、Ｖｓｅｔ電圧とＶｅ電圧との差によって走査電極・維持電極間にリセット放電が起こらないように、適切に選択される。
【０１０４】
そして、メインリセット期間（ＭＲ）の下降期間（ＩＩＩ）では、走査電極（Ｙ１〜Ｙｎ）の電圧をＶｓ電圧からＶｎｆ電圧まで漸進的に下降させる。この時、偶数配置番号の走査電極（Ｘｅｖｅｎ）に基準電圧（０Ｖ）を印加し、奇数配置番号の走査電極（Ｘｏｄｄ）にＶｅ電圧を印加して、アドレス電極（Ａ１〜Ａｍ）に基準電圧（０Ｖ）を印加する。そうすると、走査電極（Ｙ１〜Ｙｎ）の電圧が減少する間に、走査電極（Ｙｘｏ）と奇数配置番号の維持電極（Ｘｏｄｄ）との間、及び走査電極（Ｙ１〜Ｙｎ）とアドレス電極（Ａ１〜Ａｍ）との間で微弱な放電であるリセット放電が発生する。これにより、走査電極（Ｙｘｏ）に形成された負（−）の壁電荷と、奇数配置番号の維持電極（Ｘｏｄｄ）に形成された正（＋）の壁電荷及びアドレス電極（Ａ１〜Ａｍ）に形成された正（＋）の壁電荷とが消去される。しかし、上記で説明したように、上昇期間（ＩＩ）で走査電極（Ｙｘｅ）と偶数配置番号の維持電極（Ｘｅｖｅｎ）との間で微弱な放電が発生しなかった上、下降期間（ＩＩＩ）で偶数配置番号の維持電極（Ｘｅｖｅｎ）に基準電圧（０Ｖ）を印加するため、走査電極（Ｙｘｅ）と偶数配置番号の維持電極（Ｘｅｖｅｎ）との間では、リセット放電が発生しない。従って、Ｘｏｄｄラインのセルでだけリセット放電が発生し、Ｘｏｄｄラインのセルだけが非発光セルに初期化されてアドレシングに適した壁電荷状態となる。
【０１０５】
一般にＶｅ電圧とＶｎｆ電圧の大きさは、走査電極（Ｙｘｏ）と奇数配置番号の維持電極（Ｘｏｄｄ）との間の壁電圧がほとんど０Ｖになるように設定され、アドレス期間でアドレス放電が起こらないセルが維持期間で誤放電することを防止することができる。そしてアドレス電極（Ａ１〜Ａｍ）は、基準電圧（０Ｖ）に維持されているため、Ｖｎｆ電圧レベルによって走査電極（Ｙｘｏ）とアドレス電極（Ａ１〜Ａｍ）との間の壁電圧が決定される。
【０１０６】
このように第１サブフィールド（ＳＦ１）のメインリセット期間では、Ｘｏｄｄラインのセルでだけリセット放電が発生し、Ｘｏｄｄラインのセルだけにアドレシングに適切な壁電荷状態が形成される。しかし、Ｘｅｖｅｎラインのセルは、リセット放電が発生しないので、アドレシングに適した壁電荷状態が形成されない。一方、Ｘｏｄｄラインのセルの壁電荷状態は、リセット放電によって非発光セル状態となる。
【０１０７】
次に、第１サブフィールド（ＳＦ１）の記入アドレス期間（ＷＡ）では、Ｘｏｄｄラインのセルの中から、発光セルを選択するために、図２のプラズマ表示パネルの一例の電極配列構造の場合には、走査電極（Ｙ１〜Ｙｎ）に、順にＶｓｃｌ電圧を有する走査パルスを印加し、Ｖｓｃｌ電圧が印加されない走査電極には、Ｖｓｃｈ電圧を印加する。また、図３のプラズマ表示パネルの他の例の電極配列構造の場合には、隣接した二つの走査電極（Ｙ１-Ｙ２、Ｙ３-Ｙ４、Ｙ５-Ｙ６）に、同時にＶｓｃｌ電圧を有する走査パルスを印加する動作を、順に行い、Ｖｓｃｌ電圧が印加されない走査電極には、Ｖｓｃｈ電圧を印加する。
【０１０８】
例えば、プラズマ表示パネルの一例の電極配列構造の場合には、Ｙｉ電極に走査パルスを印加した後、Ｙ（ｉ+１）電極に走査パルスを印加する。しかし、プラズマ表示パネルの他の例の電極配列構造の場合は、Ｙｉ電極とＹ（ｉ+１）電極とに走査パルスを同時に印加した後、Ｙ（ｉ+２）電極とＹ（ｉ+３）電極とに走査パルスを同時に印加する。
【０１０９】
そして偶数配置番号の維持電極（Ｘｅｖｅｎ）と奇数配置番号の維持電極（Ｘｏｄｄ）には、各々基準電圧（０Ｖ）及びＶｅ電圧を印加する。この時、Ｖｓｃｌ電圧を走査電圧といい、Ｖｓｃｈ電圧を非走査電圧という。Ｖｓｃｌ電圧が印加される走査電極に形成される複数の放電セルの中から、発光させるために選択しようとする放電セルを通過するアドレス電極に、Ｖａ電圧を有するアドレスパルスを印加して、選択しないアドレス電極は、基準電圧（０Ｖ）でバイアスする。そうすると、Ｖａ電圧が印加されるアドレス電極と、Ｖｓｃｌ電圧が印加される走査電極及びＶｅ電圧が印加される偶数配置番号の維持電極（Ｘｅｖｅｎ）とによって形成されるセルで放電が起きる。この放電により、走査電極に正（＋）の壁電荷、アドレス電極及び維持電極に各々負（−）壁電荷が形成される。
【０１１０】
つまり、Ｘｏｄｄラインのセルのうち、アドレス電極にＶａ電圧が印加されるセルにおいて、アドレス放電が発生し、非発光セル状態から発光セル状態に設定される。しかし、Ｘｅｖｅｎラインのセルに関しては、第１サブフィールド（ＳＦ１）のメインリセット期間（ＭＲ）で初期化されず、記入アドレス期間（ＷＲ）でも偶数配置番号の維持電極（Ｘｏｄｄ）は、基準電圧でバイアスされている。よって、Ｘｅｖｅｎラインのセルは、アドレス放電が発生しない。一方、第１サブフィールド（ＳＦ１）の記入アドレス期間（ＷＡ）では、Ｘｏｄｄラインのセルの中から、発光させる放電セルを選択するので、アドレス電極に印加するアドレスパルスは、当該放電セルに対応したアドレス電極に印加される。
【０１１１】
このように第１サブフィールド（ＳＦ１）の記入アドレス期間（ＷＡ）では、維持期間で発光するセルを選択するために、Ｘｏｄｄライン放電セルのうち当該セルを放電させて壁電荷を形成させる。この放電により、Ｘｏｄｄラインの放電セルのうち発光させるセルを、非発光セル状態を発光セル状態に設定することができる。この設定をここでは、「選択」と呼ぶ。
【０１１２】
第１サブフィールド（ＳＦ１）の維持期間（Ｓ）では、維持放電電圧（Ｖｓ）を有する維持放電パルスを、走査電極（Ｙ１〜Ｙｎ）と維持電極（Ｘｏｄｄ、Ｘｅｖｅｎ）とに、交互に印加する。このような維持放電パルスによって、第１サブフィールドの記入アドレス期間（ＷＡ）で、発光セル状態に設定されたセルで維持放電が発生する。ここで維持放電パルスを印加する回数は、第１サブフィールドの加重値に合わせて適切に選択される。
【０１１３】
次に、第２サブフィールド（ＳＦ２）及び第３サブフィールド（ＳＦ３）に印加される駆動波形は、リセット期間に印加される駆動波形が異なることを除いて、第１サブフィールド（ＳＦ１）に印加される駆動波形と同一であるため、以下重複する説明は省略する。
【０１１４】
図５に示したように、第２サブフィールド（ＳＦ２）及び第３サブフィールド（ＳＦ３）のリセット期間は、選択的リセット期間（ＳＲ）である。この選択的リセット期間（ＳＲ）では、走査電極（Ｙ１〜Ｙｎ）の電圧を漸進的に上昇させずに、直ちにＶｓ電圧からＶｎｆ電圧まで漸進的に下降させて、各々以前のサブフィールドで維持放電が発生したセルのみをリセット放電させる。
【０１１５】
第２サブフィールド（ＳＦ２）の以前のサブフィールドである第１サブフィールド（ＳＦ１）の維持期間で、最後の維持放電パルスは、走査電極（Ｙ１〜Ｙｎ）に印加する。よって、維持放電したセル（Ｘｏｄｄラインのセルの中、第１サブフィールドで維持放電したセルを意味する）の走査電極と維持電極には、各々負（−）の壁電荷及び正（＋）の壁電荷が形成される。ここで、偶数配置番号の維持電極（Ｘｅｖｅｎ）と奇数配置番号の維持電極（Ｘｏｄｄ）に、各々基準電圧（０Ｖ）及びＶｅ電圧を印加した状態で、走査電極（Ｙ１〜Ｙｎ）にＶｓ電圧からＶｎｆ電圧まで漸進的に下降する電圧を印加する。そうすると、第１サブフィールド（ＳＦ１）の維持期間で維持放電したセルでリセット放電が発生する。しかし、Ｘｏｄｄラインのセルのうち、第１サブフィールド（ＳＦ１）で維持放電しないセルにおいて、第１サブフィールド（ＳＦ１）のメインリセット期間（ＭＲ）の壁電荷状態を維持しているので、リセット放電は発生しない。つまり、Ｘｏｄｄラインのセルのうち、第１サブフィールド（ＳＦ１）で維持放電しないセルは、メインリセット期間（ＭＲ）の終了後の壁電荷状態をそのまま維持している。よって、これを再びリセット放電させる必要がないので、走査電極（Ｙ１〜Ｙｎ）にＶｓ電圧からＶｎｆ電圧まで下降する電圧のみを印加して、第１サブフィールド（ＳＦ１）で維持放電したセルでだけリセット放電を発生させる。一方、第２サブフィールドの選択的リセット期間（ＳＲ）で、奇数配置番号の維持電極（Ｘｏｄｄ）にだけＶｅ電圧を印加する。よって、Ｘｏｄｄラインのセルのうち、第１サブフィールド（ＳＦ１）で維持放電したセルでだけリセット放電が発生する。従って、第２サブフィールド（ＳＦ２）の選択的リセット期間（ＳＲ）において、Ｘｏｄｄラインのセルのうち、第１サブフィールド（ＳＦ１）で維持放電したセルは、リセット放電が発生して初期化される。また、Ｘｏｄｄラインのセルのうち、第１サブフィールド（ＳＦ１）で維持放電しないセルは、第１サブフィールド（ＳＦ１）のメインリセット期間（ＭＲ）終了後の壁電荷状態を維持している。よって、Ｘｏｄｄラインのセルは、全て非発光セル状態で初期化される。
【０１１６】
一方、第３サブフィールド（ＳＦ３）の選択的リセット期間（ＳＲ）の動作は、第２サブフィールドの選択的リセット期間（ＳＲ）と同一であるため、具体的な説明は省略する。
【０１１７】
第２サブフィールド（ＳＦ２）及び第３サブフィールド（ＳＦ３）それぞれの維持期間は、当該サブフィールドの加重値に合わせて適切に維持放電パルス個数が設定される。
このように、図５に示した駆動波形を通して第１サブフィールド〜第３サブフィールド（ＳＦ１〜ＳＦ３）では、Ｘｏｄｄラインのセルに対してだけリセット動作、記入アドレシング動作及び維持放電動作を行う。
【０１１８】
続いて、図６および図７を参照して、第４サブフィールド（ＳＦ４）で印加される駆動波形について説明する。図６は、本実施形態にかかるプラズマ表示装置の駆動波形のうち、第４サブフィールド（ＳＦ４）に印加される第１の駆動波形を示す図である。
【０１１９】
まず、Ｘｏｄｄラインのセルに対して選択的リセット期間（ＳＲ）、第１記入アドレス期間（ＷＡ１）及び第１維持期間（Ｓ１）の所定動作を行う。図６に示したように、第４サブフィールド（ＳＦ４）の加重値を表現するために、第１維持期間（Ｓ１）に印加する維持放電パルスの個数が変わった点を除いて、第４サブフィールドの選択的リセット期間（ＳＲ）、第１記入アドレス期間（ＷＡ１）及び第１維持期間（Ｓ１）は、第２サブフィールドまたは第３サブフィールド（ＳＦ３）と同一波形を印加するため、重複される説明は省略する。つまり、まず、選択的リセット期間（ＳＲ）で、奇数配置番号の維持電極（Ｘｏｄｄ）にだけＶｅ電圧を印加した状態で、走査電極（Ｙ１〜Ｙｎ）の電圧をＶｓ電圧からＶｎｆ電圧まで漸進的に下降させる。よって、Ｘｏｄｄラインのセルを非発光セル状態で初期化するリセット動作が行われる。次に、第１記入アドレス期間（ＷＡ１）では、Ｘｏｄｄラインのセルのうち、発光セル状態に設定するセルを選択する記入アドレス動作を行い、第１維持期間（Ｓ１）では、走査電極（Ｙ１〜Ｙｎ）と維持電極（Ｘｅｖｅｎ、Ｘｏｄｄ）とに交互に維持放電パルスを印加し維持放電動作を行う。
【０１２０】
次にＸｅｖｅｎラインのセルに対してメインリセット期間（ＭＲ）、第２記入アドレス期間（ＷＡ２）及び第２維持期間（Ｓ２）の所定動作を行う。
【０１２１】
図６に示したように、メインリセット期間（ＭＲ）では、偶数配置番号の維持電極（Ｘｅｖｅｎ）と奇数配置番号の維持電極（Ｘｏｄｄ）に、各々基準電圧（０Ｖ）及びＶｅ電圧を印加した状態で、走査電極（Ｙ１〜Ｙｎ）の電圧をＶｓ電圧からＶｓｅｔ電圧まで漸進的に上昇させる。その後、偶数配置番号の維持電極（Ｘｅｖｅｎ）と奇数配置番号の維持電極（Ｘｏｄｄ）に、各々Ｖｅ電圧及び基準電圧（０Ｖ）を印加した状態で、走査電極（Ｙ１〜Ｙｎ）にＶｓ電圧からＶｎｆ電圧まで漸進的に下降する電圧を印加する。つまり、図５に示した第１サブフィールド（ＳＦ１）のメインリセット期間（ＭＲ）で、偶数配置番号の維持電極（Ｘｅｖｅｎ）と奇数配置番号の維持電極（Ｘｏｄｄ）とに印加する駆動波形を、互いに反対に印加する。従って、Ｘｅｖｅｎラインのセルでだけリセット放電が発生して、Ｘｅｖｅｎラインのセルだけが非発光状態で初期化される。
【０１２２】
次に、第２記入アドレス期間（ＷＡ２）でも第１サブフィールド（ＳＦ１）の記入アドレス期間（ＷＡ）と反対に、偶数配置番号の維持電極（Ｘｅｖｅｎ）と奇数配置番号の維持電極（Ｘｏｄｄ）に各々Ｖｅ電圧と基準電圧（０Ｖ）を印加するため、Ｘｅｖｅｎラインのセルでだけ記入アドレシング動作が行われる。
【０１２３】
そして、第２維持期間（Ｓ２）では走査電極（Ｙ１〜Ｙｎ）と維持電極（Ｘｅｖｅｎ、Ｘｏｄｄ）に交互に維持放電パルスを印加する。よって、第２記入アドレス期間（ＷＡ２）において選択されるセルで維持放電が発生する。この時、第１維持期間（Ｓ１）で維持放電したセルは、メインリセット期間（ＭＲ）及び第２記入アドレス期間（ＷＡ２）で放電が発生しないで、発光セル状態をそのまま維持している。よって、第１維持期間（Ｓ１）で維持放電したセルも、第２維持期間（Ｓ２）で維持放電パルスが印加される時に維持放電を発生させる。つまり、第１記入アドレス期間（ＷＡ１）で選択されて、発光セル状態に設定されたセルと、第２記入アドレス期間（ＷＡ２）で選択されて、発光セル状態に設定されたセルとが、第２維持期間（Ｓ２）で維持放電する。従って、Ｘｏｄｄラインのセルは、第１維持期間及び第２維持期間で維持放電するので、Ｘｅｖｅｎラインのセルよりさらに多くの回数の維持放電が発生する。このような第４サブフィールド（ＳＦ４）において、ＸｏｄｄラインのセルとＸｅｖｅｎラインのセルとに対する維持放電回数の差は、以下で説明するように補う。よって、維持放電回数が同一になるように調節される。
【０１２４】
一方、第４サブフィールドの第１維持期間（Ｓ１）で最後の維持放電パルスは、走査電極（Ｙ１〜Ｙｎ）に印加される。よって、第１維持期間（Ｓ１）で維持放電したセルの走査電極と維持電極には、各々負（−）の壁電荷及び正（＋）の壁電荷が形成される。したがって、走査電極に対する維持電極の壁電圧（Ｖｗｘｙ）は、高く設定される。このようなセルは、メインリセット期間（ＭＲ）でリセット放電を発生しないため、壁電荷状態は、メインリセット期間（ＭＲ）の終了時点でもそのまま維持される。しかし、第２記入アドレス期間（ＷＡ２）で、走査電極（Ｙ１〜Ｙｎ）に順に走査電圧（Ｖｓｃｌ）が印加される時、奇数配置番号の維持電極（Ｘｏｄｄ）に基準電圧（０Ｖ）を印加するので、奇数配置番号の維持電極（Ｘｏｄｄ）の電圧が走査電極（Ｙ１〜Ｙｎ）の電圧より高まる。よって、第１維持期間（Ｓ１）で維持放電したセルは、当該維持放電により形成された壁電荷と第２記入アドレス期間（ＷＡ２）での印加電圧により、放電が発生して壁電荷状態が変更されることがある。つまり、第１維持期間（Ｓ１）で維持放電したセルの走査電極・維持電極間の壁電圧（Ｖｗｘｙ）に上記第２記入アドレス期間（ＷＡ２）での印加電圧（Ｖｓｃｌ、０Ｖ）が加わり、放電が発生して壁電荷を変更することがある。
【０１２５】
以下、第１維持期間（Ｓ１）で維持放電したセルの壁電荷の状態が、第２記入アドレス期間（ＷＡ２）において変更されることを防止する方法について、図７を参照して説明する。図７は、本実施形態にかかるプラズマ表示装置の駆動波形のうち、第４サブフィールド（ＳＦ４）に印加される第２の駆動波形を示す図である。
【０１２６】
図７に示したように、第４サブフィールドに印加される第２の駆動波形は、メインリセット期間（ＭＲ）と第２記入アドレス期間（ＷＡ２’）との間に補正期間（第１期間）（ＡＳ）を含む。また、第２の駆動波形は、第２記入アドレス期間（ＷＡ２’）において奇数配置番号の維持電極（Ｘｏｄｄ）にもＶｅ電圧を印加する。第２の駆動波形において上記の点以外は、第１の駆動波形と同一であるため、以下、重複説明は、省略する。
【０１２７】
まず、メインリセット期間（ＭＲ）後、補正期間（ＡＳ）で、偶数配置番号の維持電極（Ｘｅｖｅｎ）及び奇数配置番号の維持電極（Ｘｏｄｄ）に各々Ｖｅ電圧を印加して、走査電極（Ｙ１〜Ｙｎ）に基準電圧（０Ｖ）を印加する。Ｘｅｖｅｎラインのセルは、メインリセット期間（ＭＲ）で初期化されるので、補正期間（ＡＳ）において、何ら放電を発生させない。しかし、Ｘｏｄｄラインのセルのうち、第１記入アドレス期間（ＷＡ１）で選択されたセルは、第１維持期間（Ｓ１）で維持放電する。また、当該セルは、メインリセット期間（ＭＲ）では、壁電荷状態が変動されない。よって、当該セルは、第１維持期間（Ｓ１）終了後の壁電荷状態を維持している。第１維持期間で最後の維持放電パルスは、走査電極（Ｙ１〜Ｙｎ）に印加されるので、Ｘｏｄｄラインのセルのうち、第１維持期間で維持放電したセルの走査電極と維持電極とには、各々負（−）の壁電荷及び正（＋）の壁電荷が形成されている。よって、走査電極に対する維持電極の壁電圧（Ｖｗｘｙ）は、高く設定される。この時、補正期間（ＡＳ）で偶数配置番号の維持電極（Ｘｏｄｄ）にＶｅ電圧が印加され、走査電極（Ｙ１〜Ｙｎ）に基準電圧（０Ｖ）が印加される。よって、第１維持期間で維持放電したセルは、壁電圧（Ｖｗｘｙ）とＶｅ電圧の合計により、補正期間（ＡＳ）で維持放電を発生させる。ここで、図７では、Ｖｅ電圧をＶｓ電圧より低い電圧として示した。しかし、Ｖｅ電圧をＶｓ電圧とほとんど同じ電圧に設定する場合、第１維持期間で維持放電したセルは、補正期間（ＡＳ）で、さらにもう一回の維持放電を発生させる。一方、Ｖｅ電圧をＶｓ電圧とほとんど同じ電圧に設定する場合には、相対的にＶｎｆ電圧をさらに低く設定するとよい。
【０１２８】
上記で説明したように、第１維持期間（Ｓ１）で維持放電したセルは、補正期間（ＡＳ）で、さらにもう一回の維持放電を発生させる。よって、維持放電したセルの維持電極と走査電極とには、各々負（−）の壁電荷及び正（＋）の壁電荷が形成される。第２記入アドレス期間（ＷＡ２’）では、全ての維持電極（Ｘｅｖｅｎ、Ｘｏｄｄ）にＶｅ電圧を印加した状態で、走査電極（Ｙ１〜Ｙｎ）に順に走査パルスを印加する。これにより、第１維持期間（Ｓ１）で維持放電したセルは、第２記入アドレス期間（ＷＡ２’）で走査パルスが印加される時、補正期間（ＡＳ）で形成された壁電圧によって放電が発生せず、壁電荷が変動しない。一方、図５に示した第２記入アドレス期間（ＷＡ２）のように、第２記入アドレス期間（ＷＡ２’）でも、Ｘｅｖｅｎラインのセルが選択されてアドレシングされる。
【０１２９】
次に、図８および図９を参照して、第５〜第１０サブフィールド（ＳＦ５〜ＳＦ１０）で印加される駆動波形について説明する。図８は、本実施形態にかかるプラズマ表示装置の駆動波形のうち、第５サブフィールド（ＳＦ５）に印加される駆動波形を示す図である。また、第５〜第１０サブフィールド（ＳＦ５〜ＳＦ１０）で印加される駆動波形は、全て同じなので、以下では、第５サブフィールド（ＳＦ５）について説明する。
【０１３０】
図８に示したように、第５サブフィールド（ＳＦ５）は、Ｘｏｄｄラインのセルに対して適用する第１消去アドレス期間（ＥＡ１）及び第１維持期間（Ｓ１）、Ｘｅｖｅｎラインのセルに対して適用する第２消去アドレス期間（ＥＡ２）及び第２維持期間（Ｓ２）を含む。一方、消去アドレシング方式を適用するためには、セルが発光セル状態である必要がある。また、第４サブフィールド（ＳＦ４）で維持放電したセルは、すでに、発光セル状態にある。よって、図８で示したように、第４サブフィールド（ＳＦ４）の後に続く第５サブフィールド（ＳＦ５）は、直ちに第１消去アドレス期間の所定の動作を行うことができる。
【０１３１】
まず、第５サブフィールド（ＳＦ５）の第１消去アドレス期間（ＥＡ１）では、偶数配置番号の維持電極（Ｘｅｖｅｎ）と奇数配置番号の維持電極（Ｘｏｄｄ）には、各々接地電圧（０Ｖ）及びＶｅ’電圧を印加する。この時、上記プラズマ表示パネルの一例の電極配列構造の場合には、走査電極（Ｙ１〜Ｙｎ）に順にＶｓｃｌ’電圧を有する走査パルスを印加し、Ｖｓｃｌ’電圧が印加されない走査電極にはＶｓｃｈ’電圧を印加する。また、上記プラズマ表示パネルの他の例の電極配列構造の場合には、隣接した二つの走査電極（Ｙ１-Ｙ２、Ｙ３-Ｙ４、Ｙ５-Ｙ６）に、同時にＶｓｃｌ’電圧を有する走査パルスを印加する動作を、順に行い、Ｖｓｃｌ’電圧が印加されない走査電極には、Ｖｓｃｈ’電圧を印加する。ここで、Ｖｅ’電圧は、第１〜第４サブフィールド（ＳＦ１〜ＳＦ４）の記入アドレス期間に印加されるＶｅ電圧より低い電圧に設定される。第４サブフィールド（ＳＦ４）の第２維持期間（Ｓ２）で、最後の維持放電パルスは、走査電極（Ｙ１〜Ｙｎ）に印加される。よって、第４サブフィールドの維持期間で維持放電したセルの走査電極と維持電極には、各々負（-）の壁電荷及び正（＋）の壁電荷が形成される。この維持放電したセルの壁電荷による壁電圧に、走査電圧（Ｖｓｃｌ’）とアドレス電圧（Ｖａ’）との差（Ｖａ’+|Ｖｓｃｌ’|）が加えられる。よって、走査電圧（Ｖｓｃｌ’）が印加される走査電極とアドレス電圧（Ｖａ’）が印加されるアドレス電極との間には、放電が発生する。この放電によって、走査電極とＶｅ’電圧が印加された奇数配置番号の維持電極（Ｘｏｄｄ）との間に、放電が拡散され壁電荷が消失する。よって、当該セルは、発光状態から非発光状態になる。しかし、偶数配置番号の維持電極（Ｘｅｖｅｎ）は、基準電圧（０Ｖ）でバイアスされている。よって、走査電極とアドレス電極に各々走査電圧（Ｖｓｃｌ’）及びアドレス電圧（Ｖａ’）が印加されても、走査電極・アドレス電極間にだけ微弱な放電が発生し、偶数配置番号の維持電極（Ｘｅｖｅｎ）で放電が拡散しない。したがって、Ｘｅｖｅｎラインのセルは、走査電圧（Ｖｓｃｌ’）とアドレス電圧（Ｖａ’）とが印加されても、消去アドレシング動作が行われない。すなわち、Ｖｅ’電圧が印加される奇数配置番号の維持電極（Ｘｏｄｄ）によって形成されるセルであるＸｏｄｄラインのセルは、走査電圧（Ｖｓｃｌ’）とアドレス電圧（Ｖａ’）とによって、消去アドレシング動作可能である。しかし、Ｖｅ’電圧が印加されない偶数配置番号の維持電極（Ｘｅｖｅｎ）によって形成されるセルであるＸｅｖｅｎラインのセルは、走査電圧（Ｖｓｃｌ’）とアドレス電圧（Ｖａ’）によっても消去アドレシング動作が発生しない。つまり、Ｖｅ’電圧が印加されているか否かによって、消去アドレシング動作の有無が決定される。従って、第１消去アドレス期間（ＥＡ１）では、Ｘｏｄｄラインのセルから選択されたセルだけが、発光状態から非発光状態に変動して、消去アドレシング動作が行われる。
【０１３２】
一方、第１消去アドレス期間（ＥＡ１）で印加されるＶｅ’電圧レベルは、上記で説明したように、Ｖｅ電圧レベルより低いレベルに設定する。第４サブフィールド（ＳＦ４）の維持期間で維持放電したセルにおいて、最後の維持放電パルスが走査電極（Ｙ１〜Ｙｎ）に印加されるので、維持放電したセルの走査電極と維持電極には、各々負（−）の壁電荷及び正（＋）の壁電荷が多く形成される。よって、Ｖｅ電圧レベルより多少低いＶｅ’電圧レベルでも消去アドレシング動作が可能である。しかし、第１〜第４サブフィールド（ＳＦ１〜ＳＦ４）の記入アドレス期間に印加されるＶｅ電圧は、リセット期間後の壁電荷が多少少なく存在するので、多少高い電圧レベルに設定する。また、図８で、第１消去アドレス期間（ＥＡ１）での走査電圧（Ｖｓｃｌ’）と非走査電圧（Ｖｓｃｈ’）を各々第１〜第４サブフィールド（ＳＦ１〜ＳＦ４）の記入アドレス期間（ＷＡ）での走査電圧（Ｖｓｃｌ）と非走査電圧（Ｖｓｃｈ）より高いレベルに設定することもできる。すなわち、第１消去アドレス期間（ＥＡ１）での消去動作は、維持放電したセルを非発光セル状態に設定するために行われるので、走査電圧（Ｖｓｃｌ’）と非走査電圧（Ｖｓｃｈ’）を、各々記入アドレス期間（ＷＡ）での走査電圧（Ｖｓｃｌ）と非走査電圧（Ｖｓｃｈ）より、多少高いレベルに設定することができる。そして、第１消去アドレス期間（ＥＡ１）で印加される走査パルスの幅も、第１〜第４サブフィールド（ＳＦ１〜ＳＦ４）の記入アドレス期間で印加される走査パルス幅より減らすことができる。すなわち、消去アドレシング動作は、発光セル状態を非発光セル状態に設定することであるため、放電によって壁電荷が形成される時間を確保しないように、走査パルス幅を記入アドレシング動作の時の走査パルス幅より減らすことができる。
【０１３３】
第５サブフィールド（ＳＦ５）の第１維持期間（Ｓ１）では、走査電極（Ｙ１〜Ｙｎ）と維持電極（Ｘｏｄｄ、Ｘｅｖｅｎ）に交互に維持放電パルスを印加し、発光セル状態のまま残っているセルを維持放電させる。この時、維持放電パルス個数は、第５サブフィールド（ＳＦ５）の加重値に対応して適切に選択される。
【０１３４】
一方、第１維持期間（Ｓ１）に印加される維持放電パルスは、第１消去アドレス期間（ＥＡ１）で一部消失されるＸｅｖｅｎラインのセルの壁電荷を補充する役割を果たす。上記で説明したように、第１消去アドレス期間（ＥＡ１）で走査電極とアドレス電極に、各々走査電圧（Ｖｓｃｌ’）とアドレス電圧（Ｖａ’）を印加する時、偶数配置番号の維持電極（Ｘｅｖｅｎ）に基準電圧（０Ｖ）を印加しても、Ｘｅｖｅｎラインのセルの走査電極・アドレス電極間には微弱な放電が発生する。そのためにＸｅｖｅｎラインのセルの中、発光セル状態にあるセルのアドレス電極に形成されている壁電荷が消失されて、第２消去アドレス期間（ＥＡ２）でうまく消去アドレス動作がされないこともありうる。しかし、このような消失される壁電荷は、第２維持期間（Ｓ２）により補充される。Ｘｅｖｅｎラインのセルは、第１消去アドレス期間（ＥＡ１）で選択されないため、Ｘｅｖｅｎラインのセルのうち発光セルは、第１消去アドレス期間（ＥＡ１）で一部の壁電荷が消失されるとしても、第１維持期間（Ｓ１）で維持放電パルスが印加される時に、維持放電が発生して、この維持放電によって消失される壁電荷が補充される。
【０１３５】
次に、第２消去アドレス期間（ＥＡ２）では、偶数配置番号の維持電極（Ｘｅｖｅｎ）と奇数配置番号の維持電極（Ｘｏｄｄ）に、各々Ｖｅ’電圧と基準電圧（０Ｖ）を印加する。そして、上記プラズマ表示パネルの一例の電極配列構造の場合には、走査電極（Ｙ１〜Ｙｎ）に順にＶｓｃｌ’電圧を有する走査パルスを印加し、Ｖｓｃｌ’電圧が印加されない走査電極にはＶｓｃｈ’電圧を印加する。上記プラズマ表示パネルの他の例の電極配列構造の場合には、隣接した二つの走査電極（Ｙ１-Ｙ２、Ｙ３-Ｙ４、Ｙ５-Ｙ６）に、同時にＶｓｃｌ’電圧を有する走査パルスを印加する動作を、順に行い、Ｖｓｃｌ’電圧が印加されない走査電極には、Ｖｓｃｈ’電圧を印加する。偶数配置番号の維持電極（Ｘｅｖｅｎ）にだけＶｅ’電圧を印加しているため、第２消去アドレス期間（ＥＡ２）では第１消去アドレス期間（ＥＡ１）と反対にＸｏｄｄラインのセルの中から、非発光セル状態とする放電セルが選択され、消去アドレス動作がおこなわれる。
【０１３６】
そして、第２維持期間（Ｓ２）で走査電極（Ｙ１〜Ｙｎ）と維持電極（Ｘｏｄｄ、Ｘｅｖｅｎ）に交互に維持放電パルスが印加される。以下、発光状態のまま残っているセルが維持放電する。ここで、第２維持期間（Ｓ２）に印加される維持放電パルス個数は、ＸｏｄｄラインのセルとＸｅｖｅｎラインのセルの維持放電回数を合せるため、第１維持期間（Ｓ１）に印加される維持放電パルス個数と同一に設定する。一方、第２消去アドレス期間（ＥＡ２）でもＸｏｄｄラインのセルのうち、発光セル状態で残っているセルの壁電荷が一部消去されるが、この消失される壁電荷は、第１維持期間（Ｓ１）と同様に、第２維持期間（Ｓ２）での維持放電によって補充される。これによって、第５サブフィールド（ＳＦ５）の後のサブフィールドである第６サブフィールド（ＳＦ１）の第１消去アドレス期間（ＥＡ１）で、Ｘｏｄｄラインのセルにおいて、うまく消去アドレシング動作が行われる。
【０１３７】
また、第６サブフィールド〜第１０サブフィールド（ＳＦ６〜ＳＦ１０）に印加される駆動波形は、図８に示した第５サブフィールド（ＳＦ５）の駆動波形と同一であるため、以下、説明を省略する。
【０１３８】
ここで、第５サブフィールド〜第１０サブフィールド（ＳＦ５〜ＳＦ１０）の各々では、第１消去アドレス期間（ＥＡ１）でＸｏｄｄラインのセルに対して消去アドレシング方式を先に適用して、その次に第２消去アドレス期間（ＥＡ２）でＸｅｖｅｎラインのセルに対して消去アドレシング方式を適用する。従って、同一サブフィールドで、発光状態から非発光状態に変動されても、Ｘｅｖｅｎラインのセルは、第１維持期間（Ｓ１）後に消去アドレシング方式が適用されるため、維持放電回数が第１維持期間（Ｓ１）の維持放電回数だけさらに多く発生する。しかし、上記で説明したように、第４サブフィールド（ＳＦ４）において、Ｘｏｄｄラインの発光セルは、第４サブフィールド（ＳＦ４）の第１維持期間（Ｓ１）及び第２維持期間（Ｓ２）で、全て発光する。よって、Ｘｏｄｄラインのセルの維持放電回数は、Ｘｅｖｅｎラインのセルの維持放電回数より多く発生し、そのために第４サブフィールド〜第１０サブフィールド（ＳＦ４〜ＳＦ１０）全体から見ると、Ｘｏｄｄラインのセルの維持放電回数は、Ｘｅｖｅｎラインのセルの維持放電回数と同一になる。
【０１３９】
一方、上記で説明したように、第４サブフィールド（ＳＦ４）で、Ｘｏｄｄラインのセルの維持放電回数は、Ｘｅｖｅｎラインのセルの維持放電回数より多いため、第５〜第１０サブフィールド（ＳＦ５〜ＳＦ１０）で消去アドレシングされない。よって、全てのサブフィールドで発光するセルの場合、Ｘｏｄｄラインのセルの維持放電回数は、Ｘｅｖｅｎラインのセルの維持放電回数よりさらに多くなる。このように一つのフレームの立場から見ると、Ｘｏｄｄラインのセルの維持放電回数は、Ｘｅｖｅｎラインのセルの維持放電回数より多い。しかし、偶数フレームでは奇数フレームのアドレシング順と逆に、Ｘｅｖｅｎラインのセルアドレシング後、Ｘｏｄｄラインのセルがアドレシングされるため、二つのフレーム周期から見ると、全体維持発光回数は同一になる。
【０１４０】
しかし、一つのフレーム内でも維持放電回数を同一に維持するためには、第５〜第１０サブフィールド（ＳＦ５〜ＳＦ１０）のうち、いずれか一つのサブフィールドで、図９のような駆動波形を印加することができる。
【０１４１】
図９は、Ｘｏｄｄラインのセルの維持放電回数とＸｅｖｅｎラインのセルの維持放電回数を等しくするための駆動波形を示す図である。図９中にしめすように、第５サブフィールド（ＳＦ５）は、維持放電回数を補償する（等しくする）ための補償維持期間（Ｓ３）を更に含む。図９では、補償維持期間（Ｓ３）が第５サブフィールド（ＳＦ５）の駆動波形に追加される様子を示したが、補償維持期間（Ｓ３）は、第５〜第１０サブフィールドの中、いずれか一つのサブフィールドに追加してもよい。
【０１４２】
図９に示したように、維持放電回数を補償するために補償維持期間（Ｓ３）が追加される。補償維持期間（Ｓ３）ではＸｏｄｄラインのセルが維持放電しないように、奇数配置番号の維持電極（Ｘｏｄｄ）に、所定のＶｍ電圧を印加する。そして補償維持期間（Ｓ３）でＸｅｖｅｎラインのセルが維持放電することができるように、偶数配置番号の維持電極（Ｘｅｖｅｎ）と走査電極（Ｙ１〜Ｙｎ）とに交互に維持放電パルスが印加される。従って、Ｘｅｖｅｎラインのセルだけが補償維持期間（Ｓ３）で維持放電するため、維持放電回数の不均衡を補償することができる。この時、Ｖｍ電圧レベルは、Ｖｓ電圧レベルより低いレベル、すなわち、維持放電が発生しないレベルに適切に設定される。一方、図９で、補償維持期間（Ｓ３）でＸｏｄｄラインのセルを維持放電させないため、奇数配置番号の維持電極（Ｘｏｄｄ）にＶｍ電圧を印加したが、奇数配置番号の維持電極（Ｘｏｄｄ）を、補償維持期間（Ｓ３）で浮遊させる方法など他の方法を用いることができる。
【０１４３】
前述したプラズマ表示装置の駆動波形は、奇数フレームに印加される駆動波形を示したものであるが、偶数フレームが印加される駆動波形は、図５〜図９の駆動波形で奇数配置番号の維持電極（Ｘｏｄｄ）に印加する駆動波形を偶数配置番号の維持電極（Ｘｅｖｅｎ）に印加する駆動波形と互いに変えて印加する。偶数フレームに印加される駆動波形に対する具体的な方法は、上記説明を基づいて当業者なら容易に実現することができるので以下、具体的説明は省略する。
【０１４４】
以上、本発明の実施形態にかかるプラズマ表示装置の駆動方法および駆動波形を詳細に説明した。上記の駆動方法及び駆動波形を図２に示した本実施形態によるプラズマ表示パネルの一例に印加する場合、スキャン回路の個数を減らすことができる。すなわち、図２で説明したように、プラズマ表示パネルの一例は、同一解像度を有するプラズマ表示パネルを設計する場合、走査電極及び維持電極の総個数を従来の構造（維持電極と走査電極が一つの表示ラインを共有するプラズマ表示パネルの構造を言う。以下、同一）より１／２程減らすことができ、これにより各走査電極（Ｙ１〜Ｙｎ）を駆動するスキャン回路も従来より１／２程減らすことができる。
【０１４５】
すなわち、本実施形態によれば、維持電極と走査電極とは、各々に隣接した２つの表示ラインを共有するので、各電極の個数を減らすことができ、スキャン回路の個数を減らすことができる。
【０１４６】
そして、図３のようなプラズマ表示パネルの他の例に、上記で説明した本実施形態による駆動方法及び駆動波形に印加する場合にも、スキャン回路の個数を減らすことができる。すなわち、図３で説明したように、本実施形態によるプラズマ表示パネルの他の例を、プラズマ表示パネルの一例と同一解像度に設計する場合、走査電極と維持電極の総個数は、２倍程度に増加する。しかし、アドレス期間で走査パルスを印加する時に隣接した二つの走査電極に同時に走査パルスを印加する。よって、隣接した二つの走査電極に同時に走査パルスを印加することができるため、隣接した二つの走査電極は、一つのスキャン回路を共有することができる。そのためにスキャン回路を、従来より１／２程減らすことができる。
【０１４７】
すなわち、本実施形態によれば、隣接した二つの走査電極に同時に走査パルスを印加して駆動することによって、スキャン回路の個数を減らすことができる。
【０１４８】
そして本実施形態による駆動方法及び駆動波形を適用する場合、コントラストを向上させることができる。すなわち、第１〜第３サブフィールド（ＳＦ１〜ＳＦ３）の各々では、Ｘｏｄｄラインのセルでだけ、リセット期間においてリセット放電を発生させるので、Ｘｏｄｄラインのセル及びＸｅｖｅｎラインのセル全部でリセット放電を発生させる場合より、さらにコントラストを減らすことができる。また、各々の第５サブフィールド〜第１０サブフィールド（ＳＦ５〜ＳＦ１０）では、第４サブフィールド（ＳＦ４）で維持放電したセルに、消去アドレシング方式を適用する。よって、リセット放電を必要としないので、さらにコントラストを減らすことができる。一方、第５〜第１０サブフィールド（ＳＦ５〜ＳＦ１０）では、消去アドレス方式が適用されるので、スキャンパルスの幅を減らすことができ、高速アドレシングが可能である。
【０１４９】
尚、特許請求の範囲の各請求項に記載した各サブフィールドと、本実施形態における各サブフィールドとの対応を、下記の表１〜表６に示す。
【０１５０】
表１は、請求項１〜１１における各サブフィールドと本実施形態における各サブフィールドとの対応を示した表である。表２は、請求項１２〜２０における各サブフィールドと本実施形態における各サブフィールドとの対応を示した表である。表３は、請求項２１〜３２における各サブフィールドと本実施形態における各サブフィールドとの対応を示した表である。表４は、請求項３３〜３７における各サブフィールドと本実施形態における各サブフィールドとの対応を示した表である。表５は、請求項４２〜４６における各サブフィールドと本実施形態における各サブフィールドとの対応を示した表である。表４は、請求項４７〜５７における各サブフィールドと本実施形態における各サブフィールドとの対応を示した表である。
【０１５１】
【表１】
2007108756.tif 000003
【０１５２】
【表２】
2007108756.tif 000004
【０１５３】
【表３】
2007108756.tif 000005
【０１５４】
【表４】
2007108756.tif 000006
【０１５５】
【表５】
2007108756.tif 000007
【０１５６】
【表６】
2007108756.tif 000008
【０１５７】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１５８】
本発明は、プラズマ表示装置及びその駆動方法に適用可能である。
【図面の簡単な説明】
【０１５９】
【図１】本発明の実施形態にかかるプラズマ表示装置の構成を示す図である。
【図２】同実施形態に使用するプラズマ表示パネルの一例を示す電極配列図である。
【図３】同実施形態に使用するプラズマ表示パネルの他の例を示す電極配列図である。
【図４】同実施形態にかかるプラズマ表示装置の駆動方法を示す図である。
【図５】同実施形態にかかるプラズマ表示装置の駆動波形のうち、第１〜第３サブフィールド（ＳＦ１〜ＳＦ３）に印加される駆動波形を示す図である。
【図６】同実施形態にかかるプラズマ表示装置の駆動波形のうち、第４サブフィールド（ＳＦ４）に印加される第１の駆動波形を示す図である。
【図７】同実施形態にかかるプラズマ表示装置の駆動波形のうち、第４サブフィールド（ＳＦ４）に印加される第２の駆動波形を示す図である。
【図８】同実施形態にかかるプラズマ表示装置の駆動波形のうち、第５サブフィールド（ＳＦ５）に印加される駆動波形を示す図である。
【図９】Ｘｏｄｄラインのセルの維持放電回数とＸｅｖｅｎラインのセルの維持放電回数を等しくするための駆動波形を示す図である。
【符号の説明】
【０１６０】
１００              プラズマ表示パネル
２００              制御部
３００              アドレス電極駆動部
４００              走査電極駆動部
５００              維持電極駆動部
２９’              隔壁
３１ａ、３２ａ      バス電極
３１ｂ、３２ｂ      透明電極
ＳＦ１〜ＳＦ１０    第１〜第１０サブフィールド
ＭＲ                メインリセット期間
ＳＲ                選択的リセット期間
ＷＡ                記入アドレス期間
ＥＡ                消去アドレス期間
Ｓ                  維持期間
【図１】
2007108756.tif 000009
【図２】
2007108756.tif 000010
【図３】
2007108756.tif 000011
【図４】
2007108756.tif 000012
【図５】
2007108756.tif 000013
【図６】
2007108756.tif 000014
【図７】
2007108756.tif 000015
【図８】
2007108756.tif 000016
【図９】
2007108756.tif 000017